(57)【要約】【課題】取扱上重量バランスの良い構造にすることができ、水質浄化材の寿命を長くする浄水機能付きシャワーヘッドを提供する。【解決手段】直接手で持つことができる長尺の外形状に形成し、一方の端部にホース取付部を形成した把持部１１と、この把持部のホース取付部とは反対側の端部に設けられるとともに吐出口を形成した頭部１２と、筒状の水質浄化材１５ａを具備し、把持部内に交換可能に収容される水質浄化用カートリッジとを有し、把持部を持って取り回すことができる浄水機能付き吐水ヘッドであって、水質浄化材と把持部との間に形成される外周側流路２１と、水質浄化材の内側に形成される中央空間部２２とを有し、水が水質浄化材を透過せずに上記外周側流路を通過する原水流路と、水が外周側流路から上記中央空間部へと水質浄化材を透過する浄水流路とを形成し、流路切換弁を頭部に配設する。【選択図】図１１０
2011174374.tif 000002
【特許請求の範囲】
【請求項１】
直接手で持つことができる長尺の外形状に形成し、一方の端部にホースとの取付部を形成した把持部と、
この把持部の上記ホースとの取付部とは反対側の端部に設けられるとともに吐出口を形成した頭部と、
筒状の水質浄化材を具備し、上記把持部内に交換可能に収容される水質浄化用カートリッジとを有し、
上記把持部を持って取り回すことができる浄水機能付き吐水ヘッドであって、
上記水質浄化材と上記把持部の内周面との間に形成されて上記把持部の長手方向に延設される外周側流路と、
上記水質浄化材の内側に形成される中央空間部とを有し、
上記把持部内に流入した水が上記水質浄化材を透過せずに上記外周側流路を通過して上記吐出口に至る原水流路と、
上記把持部内に流入した水が上記外周側流路から上記中央空間部へと上記水質浄化材を透過して上記吐出口に至る浄水流路とを形成し、
浄水吐出時に上記原水流路を遮断して上記浄水流路を開放し、原水吐出時に上記浄水流路を遮断して上記原水流路を開放する流路切換弁を、上記頭部に配設することにより、
上記原水吐出時に上記外周側流路を通過する水が、上記浄水吐出時に上記水質浄化用カートリッジの外周面に蓄積された蓄積物を洗い流すことを特徴とする浄水機能付き吐水ヘッド。
【請求項２】
上記流路切換弁が、上記水質浄化用カートリッジの下流の上記原水流路に配設されて上記原水流路を開閉する原水用遮断弁と、
上記水質浄化用カートリッジの下流の上記浄水流路に配設されて上記浄水流路を開閉する浄水用遮断弁とを有し、
上記原水用遮断弁の弁閉時には上記浄水用遮断弁を弁開にし、上記浄水用遮断弁の弁閉時には上記原水用遮断弁を弁開にすることを特徴とする請求項１記載の浄水機能付き吐水ヘッド。
【発明の詳細な説明】
【技術分野】
【０００１】
本発明は、台所または厨房、洗面所あるいは風呂場等で用いられ、使用時に吐出する水および／または湯を浄化する能力を具備した浄水機能付きシャワーヘッドに関する。
【背景技術】
【０００２】
従来、洗面所あるいは風呂場等で用いられる洗面装置やシャワー装置等に取り付けられ、水および／または湯の水質浄化能力を具備したシャワーヘッドには、例えば登録実用新案公報第 3007614号記載の塩素除去シャワーヘッドがあった。  この塩素除去シャワーヘッドでは、本体内に水質を浄化するための水質浄化用カートリッジと、シャワー吐出する湯水を浄化水または原水に切り換えるための流路切換弁とが収容されている。
【０００３】
〔問題点〕
このような従来の塩素除去シャワーヘッドにおいては、シャワーヘッドの本体内に収容される流路切換弁が、水質浄化用カートリッジが収容された位置の上流側に配置されているため、水質浄化用カートリッジが把持部に収容されているものでは、流路切換弁の収容容積が小さくなり、流路切換弁を収容部に合わせて小さく形成しなければならず、その形状、構造等も制約され、しかも製造が難しくなる、また、水質浄化用カートリッジが頭部に収容されているものでは、胴部に比較して頭部が重くなり、シャワーヘッドの重量バランスが悪くなって、扱いにくいものとなるという問題点があった。
【先行技術文献】
【特許文献】
【０００４】
【特許文献１】登録実用新案第３００７６１４号公報
【発明の概要】
【発明が解決しようとする課題】
【０００５】
本発明は、従来の技術における前記問題点を解消するためのものであり、この解決のため具体的に設定した課題は、切換弁の形状、構造および収容容積等の制約を大幅に緩めるとともに取扱上も重量バランスの良い形状および構造にすることができる浄水機能付きシャワーヘッドを提供することにある。
【課題を解決するための手段】
【０００６】
上記課題を達成するため具体的に構成した第１の発明は、直接手で持つことができる長尺の外形状に形成し、一方の端部にホースとの取付部を形成した把持部と、この把持部の上記ホースとの取付部とは反対側の端部に設けられるとともに吐出口を形成した頭部と、筒状の水質浄化材を具備し、上記把持部内に交換可能に収容される水質浄化用カートリッジとを有し、上記把持部を持って取り回すことができる浄水機能付き吐水ヘッドであって、上記水質浄化材と上記把持部の内周面との間に形成されて上記把持部の長手方向に延設される外周側流路と、上記水質浄化材の内側に形成される中央空間部とを有し、上記把持部内に流入した水が上記水質浄化材を透過せずに上記外周側流路を通過して上記吐出口に至る原水流路と、上記把持部内に流入した水が上記外周側流路から上記中央空間部へと上記水質浄化材を透過して上記吐出口に至る浄水流路とを形成し、浄水吐出時に上記原水流路を遮断して上記浄水流路を開放し、原水吐出時に上記浄水流路を遮断して上記原水流路を開放する流路切換弁を、上記頭部に配設することにより、上記原水吐出時に上記外周側流路を通過する水が、上記浄水吐出時に上記水質浄化用カートリッジの外周面に蓄積された蓄積物を洗い流すことを特徴とする。
【０００７】
第２の発明は、上記流路切換弁が、上記水質浄化用カートリッジの下流の上記原水流路に配設されて上記原水流路を開閉する原水用遮断弁と、上記水質浄化用カートリッジの下流の上記浄水流路に配設されて上記浄水流路を開閉する浄水用遮断弁とを有し、上記原水用遮断弁の弁閉時には上記浄水用遮断弁を弁開にし、上記浄水用遮断弁の弁閉時には上記原水用遮断弁を弁開にすることを特徴とする。
【発明の効果】
【０００８】
第１の発明によれば、直接手で持つことができる長尺の外形状に形成し、一方の端部にホースとの取付部を形成した把持部と、この把持部の上記ホースとの取付部とは反対側の端部に設けられるとともに吐出口を形成した頭部と、筒状の水質浄化材を具備し、上記把持部内に交換可能に収容される水質浄化用カートリッジとを有し、上記把持部を持って取り回すことができる浄水機能付き吐水ヘッドであって、上記水質浄化材と上記把持部の内周面との間に形成されて上記把持部の長手方向に延設される外周側流路と、上記水質浄化材の内側に形成される中央空間部とを有し、上記把持部内に流入した水が上記水質浄化材を透過せずに上記外周側流路を通過して上記吐出口に至る原水流路と、上記把持部内に流入した水が上記外周側流路から上記中央空間部へと上記水質浄化材を透過して上記吐出口に至る浄水流路とを形成し、浄水吐出時に上記原水流路を遮断して上記浄水流路を開放し、原水吐出時に上記浄水流路を遮断して上記原水流路を開放する流路切換弁を、上記頭部に配設することにより、取扱上の重量バランスを良くするとともに全体をコンパクトに構成することができる。
また、上記原水吐出時に上記外周側流路を通過する水が、上記浄水吐出時に上記水質浄化用カートリッジの外周面に蓄積された蓄積物を洗い流すため、浄水吐出時に目詰りしにくくし、水質浄化材の浄化能力を高レベルに維持するとともに寿命を長くすることができる。
【０００９】
第２の発明によれば、上記流路切換弁が、上記水質浄化用カートリッジの下流の上記原水流路に配設されて上記原水流路を開閉する原水用遮断弁と、上記水質浄化用カートリッジの下流の上記浄水流路に配設されて上記浄水流路を開閉する浄水用遮断弁とを有し、上記原水用遮断弁の弁閉時には上記浄水用遮断弁を弁開にし、上記浄水用遮断弁の弁閉時には上記原水用遮断弁を弁開にすることにより、流路切換弁の操作によって浄水流路または原水流路を確実にシールすることができて、浄水と原水の切換が容易にできる。
【図面の簡単な説明】
【００１０】
【図１】本発明の実施の形態における浄水機能付きシャワーヘッドを台所の混合水栓に取り付けた場合を示す説明図である。
【図２】本発明の第１実施例における浄水機能付きシャワーヘッドの外観を示す平面図である。
【図３】同上浄水機能付きシャワーヘッドの外観を示す側面図である。
【図４】同上浄水機能付きシャワーヘッドの外観を示す正面図である。
【図５】同上浄水機能付きシャワーヘッドにおける流路切換弁の浄水側遮断弁が開位置にある場合を示す平面断面図（図６のＢ−Ｂ矢視図）である。
【図６】同上浄水機能付きシャワーヘッドにおける流路切換弁の浄水側遮断弁が開位置にある場合を示す側面断面図（図６のＡ−Ａ矢視図）である。
【図７】同上浄水機能付きシャワーヘッドの把持部における横断面図である。
【図８】同上浄水機能付きシャワーヘッドの頭部における流路切換弁の浄水側遮断弁が開位置にある場合を拡大して示す平面断面図である。
【図９】図８のＣ−Ｃ矢視図である。
【図１０】図８のＤ−Ｄ矢視図である。
【図１１】同上浄水機能付きシャワーヘッドの頭部におけるシャワー吐出面を示す下平面図である。
【図１２】図１１のＧ−Ｇ矢視図である。
【図１３】同上浄水機能付きシャワーヘッドにおける流路切換弁の操作部を示す分解斜視図である。
【図１４】同上浄水機能付きシャワーヘッドにおける切換リングを示す外観図であり、（Ａ）は側面図、（Ｂ）は左正面図、（Ｃ）は右正面図、（Ｄ）は上平面図、（Ｅ）は下平面図である。
【図１５】同上浄水機能付きシャワーヘッドにおける第１切換こまを示す外観図であり、（Ａ）は側面図、（Ｂ）は左正面図、（Ｃ）は右正面図、（Ｄ）は上平面図、（Ｅ）は下平面図である。
【図１６】同上浄水機能付きシャワーヘッドにおける第２切換こまを示す外観図であり、（Ａ）は側面図、（Ｂ）は左正面図、（Ｃ）は右正面図、（Ｄ）は上平面図である。
【図１７】同上浄水機能付きシャワーヘッドにおける第１の仕切部材を示す外観図であり、（Ａ）は側面図、（Ｂ）は正面図、（Ｃ）は上平面図、（Ｄ）は下平面図である。
【図１８】図１７に示す断面位置における断面図であり、（Ａ）はＡ−Ａ側面断面図、（Ｂ）はＢ−Ｂ側面断面図、（Ｃ）はＣ−Ｃ平面断面図である。
【図１９】同上浄水機能付きシャワーヘッドにおける弁座を示す説明図であり、（Ａ）は縦断面図、（Ｂ）は平面図である。
【図２０】同上浄水機能付きシャワーヘッドにおける弁座抑えを示す説明図であり、（Ａ）は縦断面図、（Ｂ）は平面図である。
【図２１】同上浄水機能付きシャワーヘッドにおける第２の仕切部材を示す説明図であり、（Ａ）は縦断面図、（Ｂ）は正面図、（Ｃ）は上平面図、（Ｄ）は下平面図である。
【図２２】同上浄水機能付きシャワーヘッドにおける浄水導管を示す斜視図である。
【図２３】同上浄水機能付きシャワーヘッドにおける浄水導管を示す説明図であり、（Ａ）は縦断面図、（Ｂ）は正面図、（Ｃ）は上平面図、（Ｄ）は下平面図である。
【図２４】同上浄水機能付きシャワーヘッドにおけるシャワープレートを示す説明図であり、（Ａ）は上平面図、（Ｂ）は左側面図、（Ｃ）はＨ−Ｈ矢視図、（Ｄ）はＧ−Ｇ矢視図である。
【図２５】同上浄水機能付きシャワーヘッドにおけるシャワープレート抑えを示す説明図であり、（Ａ）は縦断面図、（Ｂ）は上平面図である。
【図２６】同上浄水機能付きシャワーヘッドの頭部における流路切換弁の原水側遮断弁が開位置にある場合を拡大して示す平面断面図である。
【図２７】図２６のＥ−Ｅ矢視図である。
【図２８】図２６のＦ−Ｆ矢視図である。
【図２９】本発明による第２実施例の浄水機能付きシャワーヘッドにおける流路切換弁の浄水側遮断弁が開位置にある場合を示す平面断面図（図３０のＢ−Ｂ矢視図）である。
【図３０】同上浄水機能付きシャワーヘッドにおける流路切換弁の浄水側遮断弁が開位置にある場合を示す側面断面図（図２９のＡ−Ａ矢視図）である。
【図３１】同上浄水機能付きシャワーヘッドの頭部における流路切換弁の浄水側遮断弁が開位置にある場合を拡大して示す平面断面図である。
【図３２】図３１のＣ−Ｃ矢視図である。
【図３３】図３１のＤ−Ｄ矢視図である。
【図３４】同上浄水機能付きシャワーヘッドの頭部におけるシャワー吐出面を示す下平面図である。
【図３５】図３４のＧ−Ｇ矢視図である。
【図３６】同上浄水機能付きシャワーヘッドの頭部を示す説明図であり、（Ａ）は上平面図、（Ｂ）は縦断面図（（Ａ）のＪ−Ｊ矢視図）である。
【図３７】同上浄水機能付きシャワーヘッドの頭部を示す説明図であり、（Ａ）は下平面図、（Ｂ）は図３６（Ｂ）のＨ−Ｈ矢視図である。
【図３８】同上浄水機能付きシャワーヘッドにおける第１の仕切部材を示す外観図であり、（Ａ）は正面図、（Ｂ）は左側面図、（Ｃ）は右側面図、（Ｄ）は上平面図、（Ｅ）は下平面図である。
【図３９】図３８に示す断面位置における矢視断面図であり、（Ａ）はＡ−Ａ矢視図、（Ｂ）はＢ−Ｂ矢視図、（Ｃ）はＣ−Ｃ矢視図、（Ｄ）はＤ−Ｄ矢視図である。
【図４０】同上浄水機能付きシャワーヘッドにおける第２の仕切部材を示す説明図であり、（Ａ）は平面図、（Ｂ）はＭ−Ｍ矢視図、（Ｃ）はＤ−Ｄ矢視図である。
【図４１】同上浄水機能付きシャワーヘッドにおける第３の仕切部材を示す説明図であり、（Ａ）は縦断面図、（Ｂ）は側面図、（Ｃ）は上平面図、（Ｄ）は下平面図である。
【図４２】同上浄水機能付きシャワーヘッドにおけるシャワープレートを示す説明図であり、（Ａ）は縦断面図、（Ｂ）は左側面図、（Ｃ）は平面図である。
【図４３】同上浄水機能付きシャワーヘッドの頭部における流路切換弁の原水側遮断弁が開位置にある場合を拡大して示す平面断面図である。
【図４４】図４３のＥ−Ｅ矢視図である。
【図４５】図４３のＦ−Ｆ矢視図である。
【図４６】本発明の第３実施例における浄水機能付きシャワーヘッドにおける流路切換弁の浄水側遮断弁が開位置にある場合を示す平面断面図（図４７のＢ−Ｂ矢視図）である。
【図４７】同上浄水機能付きシャワーヘッドにおける流路切換弁の浄水側遮断弁が開位置にある場合を示す縦断面図（図４６のＡ−Ａ矢視図）である。
【図４８】同上浄水機能付きシャワーヘッドの頭部における流路切換弁の浄水側遮断弁が開位置にある場合を拡大して示す平面断面図である。
【図４９】図４８のＣ−Ｃ矢視図である。
【図５０】図４８のＤ−Ｄ矢視図である。
【図５１】図４８のＧ−Ｇ矢視図である。
【図５２】図５１のＨ−Ｈ矢視図である。
【図５３】同上浄水機能付きシャワーヘッドの頭部を示す説明図であり、（Ａ）は縦断面図（（Ｃ）におけるＩ−Ｉ矢視図）、（Ｂ）は正面図、（Ｃ）は下平面図である。
【図５４】図５３（Ａ）のＨ−Ｈ矢視図である。
【図５５】図５３（Ｃ）のＪ−Ｊ矢視図である。
【図５６】図５３（Ｃ）のＫ−Ｋ矢視図である。
【図５７】同上浄水機能付きシャワーヘッドの（第１の）仕切部材を示す外観図であり、（Ａ）は側面図、（Ｂ）は正面図、（Ｃ）は上平面図、（Ｄ）は下平面図である。
【図５８】同上浄水機能付きシャワーヘッドの（第１の）仕切部材を示す断面図であり、（Ａ）は図５７（Ｃ）のＡ−Ａ矢視図、（Ｂ）は図５７（Ｃ）のＢ−Ｂ矢視図、（Ｃ）は図５７（Ｂ）のＣ−Ｃ矢視図である。
【図５９】同上浄水機能付きシャワーヘッドの（第２の）仕切部材を示す説明図であり、（Ａ）は縦断面図、（Ｂ）は側面図、（Ｃ）は上平面図、（Ｄ）は下平面図である。
【図６０】同上浄水機能付きシャワーヘッドのシャワープレートを示す説明図であり、（Ａ）は縦断面図、（Ｂ）は平面図である。
【図６１】本発明による第４実施例の浄水機能付きシャワーヘッドにおける流路切換弁の浄水側遮断弁が開位置にある場合を示す平面断面図（図６２のＢ−Ｂ矢視図）である。
【図６２】同上浄水機能付きシャワーヘッドにおける流路切換弁の浄水側遮断弁が開位置にある場合を示す縦断面図（図６１のＡ−Ａ矢視図）である。
【図６３】同上浄水機能付きシャワーヘッドの頭部における流路切換弁の浄水側遮断弁が開位置にある場合を拡大して示す平面断面図である。
【図６４】図６３のＣ−Ｃ矢視図である。
【図６５】図６３のＤ−Ｄ矢視図である。
【図６６】同上浄水機能付きシャワーヘッドの頭部における下平面図である。
【図６７】図６６のＧ−Ｇ矢視図である。
【図６８】同上浄水機能付きシャワーヘッドの頭部を示す説明図であり、（Ａ）は縦断面図（Ｂ）におけるＩ−Ｉ矢視図）、（Ｂ）は下平面図である。
【図６９】図６８（Ａ）のＨ−Ｈ矢視図である。
【図７０】図６８（Ｂ）のＪ−Ｊ矢視図である。
【図７１】図６８（Ｂ）のＫ−Ｋ矢視図である。
【図７２】同上浄水機能付きシャワーヘッドの（第１の）仕切部材を示す外観図であり、（Ａ）は側面図、（Ｂ）は正面図、（Ｃ）は裏正面図、（Ｄ）は上平面図、（Ｅ）は下平面図である。
【図７３】同上浄水機能付きシャワーヘッドの（第１の）仕切部材を示す断面図であり、（Ａ）は図７２（Ｂ）のＡ−Ａ矢視図、（Ｂ）は図７２（Ｄ）のＢ−Ｂ矢視図、（Ｃ）は図７２（Ｄ）のＣ−Ｃ矢視図、（Ｄ）は図７２（Ｄ）のＤ−Ｄ矢視図である。
【図７４】同上浄水機能付きシャワーヘッドの（第２の）仕切部材を示す説明図であり、（Ａ）は縦断面図、（Ｂ）は平面図である。
【図７５】同上浄水機能付きシャワーヘッドの（第３の）仕切部材を示す説明図であり、（Ａ）は縦断面図、（Ｂ）は平面図である。
【図７６】同上浄水機能付きシャワーヘッドの頭部におけるシャワープレートを示す説明図であり、（Ａ）は縦断面図、（Ｂ）は平面図である。
【図７７】本発明による第５実施例の浄水機能付きシャワーヘッドの外観を示す側面図である。
【図７８】同上浄水機能付きシャワーヘッドにおける流路切換弁の浄水側遮断弁が開位置にある場合を示す平面断面図（図７９のＢ−Ｂ矢視図）である。
【図７９】同上浄水機能付きシャワーヘッドにおける流路切換弁の浄水側遮断弁が開位置にある場合を示す縦断面図（図７８のＡ−Ａ矢視図）である。
【図８０】同上浄水機能付きシャワーヘッドの頭部における流路切換弁の浄水側遮断弁が開位置にある場合を拡大して示す平面断面図である。
【図８１】図８０のＣ−Ｃ矢視図である。
【図８２】図８０のＤ−Ｄ矢視図である。
【図８３】図８０のＧ−Ｇ断面位置における側面断面図である。
【図８４】同上浄水機能付きシャワーヘッドの頭部を示す縦断面図であり、（Ａ）は縦断面図（図８４（Ｃ）のＩ−Ｉ矢視図）、（Ｂ）は正面図、（Ｃ）は下平面図である。
【図８５】同上浄水機能付きシャワーヘッドの頭部を示す縦断面図であり、（Ａ）は図８４（Ａ）のＨ−Ｈ矢視図、（Ｂ）は図８４（Ｃ）のＪ−Ｊ矢視図、（Ｃ）は図８４のＫ−Ｋ矢視図である。
【図８６】同上浄水機能付きシャワーヘッドの（第１の）仕切部材を示す外観図であり、（Ａ）は側面図、（Ｂ）は正面図、（Ｃ）は裏正面図、（Ｄ）は上平面図、（Ｅ）は下平面図である。
【図８７】同上浄水機能付きシャワーヘッドの（第１の）仕切部材を示す断面図であり、（Ａ）は図８６（Ｂ）のＡ−Ａ矢視図、（Ｂ）は図８６（Ｄ）のＢ−Ｂ矢視図、（Ｃ）は図８６（Ｄ）のＣ−Ｃ矢視図である。
【図８８】同上浄水機能付きシャワーヘッドの浄水導管を示す説明図であり、（Ａ）は縦断面図、（Ｂ）は側面図、（Ｃ）は上平面図、（Ｄ）は下平面図である。
【図８９】同上浄水機能付きシャワーヘッドの（第２の）仕切部材を示す説明図であり、（Ａ）は縦断面図、（Ｂ）は側面図、（Ｃ）は上平面図、（Ｄ）は下平面図である。
【図９０】同上浄水機能付きシャワーヘッドのシャワープレートを示す説明図であり、（Ａ）は縦断面図、（Ｂ）は平面図である。
【図９１】同上浄水機能付きシャワーヘッドの頭部における流路切換弁の原水側遮断弁が開位置にある場合を示す平面断面図である。
【図９２】図９１のＥ−Ｅ矢視図である。
【図９３】図９１のＦ−Ｆ矢視図である。
【図９４】本発明による第６実施例の浄水機能付きシャワーヘッドにおける流路切換弁の浄水側遮断弁が開位置にある場合を示す平面断面図（図９５のＢ−Ｂ矢視図）である。
【図９５】同上浄水機能付きシャワーヘッドにおける流路切換弁の浄水側遮断弁が開位置にある場合を示す縦断面図（図９４のＡ−Ａ矢視図）である。
【図９６】同上浄水機能付きシャワーヘッドの頭部における流路切換弁の浄水側遮断弁が開位置にある場合を拡大して示す平面断面図である。
【図９７】図９６のＣ−Ｃ矢視図である。
【図９８】図９６のＤ−Ｄ矢視図である。
【図９９】同上浄水機能付きシャワーヘッドの頭部における流路切換弁の下流側の浄水流路を示す遮断弁近傍を一部回転して示す側面断面説明図である。
【図１００】同上浄水機能付きシャワーヘッドの頭部を示す説明図であり、（Ａ）は平面図、（Ｂ）は（Ａ）におけるＪ−Ｊ矢視図である。
【図１０１】同上浄水機能付きシャワーヘッドの頭部を示す説明図であり、（Ａ）は下平面図、（Ｂ）は図１００（Ｂ）のＨ−Ｈ矢視図である。
【図１０２】同上浄水機能付きシャワーヘッドの（第１の）仕切部材を示す外観図であり、（Ａ）は側面図、（Ｂ）は正面図、（Ｃ）は裏正面図、（Ｄ）は上平面図、（Ｅ）は下平面図である。
【図１０３】同上浄水機能付きシャワーヘッドの（第１の）仕切部材を示す断面図であり、（Ａ）は図１０２（Ｂ）のＡ−Ａ矢視図、（Ｂ）は図１０２（Ｄ）のＢ−Ｂ矢視図、（Ｃ）は図８６（Ｄ）のＣ−Ｃ矢視図、（Ｄ）は図８６（Ｄ）のＤ−Ｄ矢視図である。
【図１０４】同上浄水機能付きシャワーヘッドの（第２の）仕切部材を示す説明図であり、（Ａ）は平面図、（Ｂ）は左側面図、（Ｃ）は（Ａ）におけるＤ−Ｄ矢視図、（Ｄ）はＭ−Ｍ矢視図である。
【図１０５】同上浄水機能付きシャワーヘッドの頭部における流路切換弁の原水側遮断弁が開位置にある場合を拡大して示す平面断面図である。
【図１０６】図１０６のＥ−Ｅ矢視図である。
【図１０７】図１０６のＦ−Ｆ矢視図である。
【図１０８】本発明による第７実施例の浄水機能付きシャワーヘッドの外観を示す側面図である。
【図１０９】同上浄水機能付きシャワーヘッドにおける流路切換弁の浄水側遮断弁が開位置にある場合を示す平面断面図（図１１０のＢ−Ｂ矢視図）である。
【図１１０】同上浄水機能付きシャワーヘッドにおける流路切換弁の浄水側遮断弁が開位置にある場合を示す縦断面図（図１０９のＡ−Ａ矢視図）である。
【図１１１】同上浄水機能付きシャワーヘッドの頭部における流路切換弁の浄水側遮断弁が開位置にある場合を拡大して示す平面断面図である。
【図１１２】図１１１のＣ−Ｃ矢視図である。
【図１１３】図１１１のＤ−Ｄ矢視図である。
【図１１４】同上浄水機能付きシャワーヘッドの中間接続部材を示す説明図であり、（Ａ）は縦断面図、（Ｂ）は正面図、（Ｃ）は上平面図、（Ｄ）は下平面図である。
【図１１５】同上浄水機能付きシャワーヘッドのシャワープレートを示す説明図であり、（Ａ）は縦断面図、（Ｂ）は平面図である。
【図１１６】同上浄水機能付きシャワーヘッドの頭部における流路切換弁の原水側遮断弁が開位置にある場合を示す平面断面図である。
【図１１７】図１１６のＥ−Ｅ矢視図である。
【図１１８】図１１６のＦ−Ｆ矢視図である。
【図１１９】本発明による第８実施例の浄水機能付きシャワーヘッドにおける流路切換弁の浄水側遮断弁が開位置にある場合を示す平面断面図（図１２０のＢ−Ｂ矢視図）である。
【図１２０】同上浄水機能付きシャワーヘッドにおける流路切換弁の浄水側遮断弁が開位置にある場合を示す縦断面図（図１１９のＡ−Ａ矢視図）である。
【図１２１】同上浄水機能付きシャワーヘッドの頭部における流路切換弁の浄水側遮断弁が開位置にある場合を拡大して示す平面断面図である。
【図１２２】図１２１のＣ−Ｃ矢視図である。
【図１２３】図１２１のＤ−Ｄ矢視図である。
【図１２４】同上浄水機能付きシャワーヘッドの（第２の）仕切部材を示す説明図であり、（Ａ）は縦断面図、（Ｂ）は上平面図、（Ｃ）は下平面図である。
【図１２５】同上浄水機能付きシャワーヘッドの頭部における流路切換弁の原水側遮断弁が開位置にある場合を拡大して示す平面断面図である。
【図１２６】図１２５のＥ−Ｅ矢視図である。
【図１２７】図１２５のＦ−Ｆ矢視図である。
【図１２８】本発明の第９実施例における浄水機能付きシャワーヘッドの外観を示す平面図である。
【図１２９】同上浄水機能付きシャワーヘッドの外観を示す側面図である。
【図１３０】本発明の第９実施例における浄水機能付きシャワーヘッドにおける流路切換弁の浄水側遮断弁が開位置にある場合を示す平面断面図（図１３１のＢ−Ｂ矢視図）である。
【図１３１】同上浄水機能付きシャワーヘッドにおいて回動式の吐出切換弁がストレート吐出位置にある場合を示す縦断面図（図１３０のＡ−Ａ矢視図）である。
【図１３２】同上浄水機能付きシャワーヘッドの頭部における流路切換弁の浄水側遮断弁が開位置にある場合を拡大して示す平面断面図である。
【図１３３】図１３２のＣ−Ｃ矢視図である。
【図１３４】図１３２のＤ−Ｄ矢視図である。
【図１３５】同上浄水機能付きシャワーヘッドにおいて回動式の吐出切換弁がマッサージ吐出位置にある場合を示す縦断面図である。
【図１３６】図１３５のＧ−Ｇ矢視図である。
【図１３７】同上浄水機能付きシャワーヘッドにおいて回動式の吐出切換弁がシャワー吐出位置にある場合を示す縦断面図である。
【図１３８】同上浄水機能付きシャワーヘッドの頭部を示す平面断面図（図１３９のＰ−Ｐ矢視図）である。
【図１３９】同上浄水機能付きシャワーヘッドの頭部を示す縦断面図（図１３８のＬ−Ｌ矢視図）である。
【図１４０】図１３８のＭ−Ｍ矢視図である。
【図１４１】図１３８のＮ−Ｎ矢視図である。
【図１４２】図１３９のＯ−Ｏ矢視図である。
【図１４３】同上浄水機能付きシャワーヘッドの仕切部材を示す外観図であり、（Ａ）は側面図、（Ｂ）は正面図、（Ｃ）は上平面図、（Ｄ）は下平面図である。
【図１４４】同上浄水機能付きシャワーヘッドの仕切部材を示す断面図であり、（Ａ）は図１４３（Ｃ）のＡ−Ａ矢視図、（Ｂ）は図１４３（Ｃ）のＢ−Ｂ矢視図、（Ｃ）は図１４３（Ｂ）のＣ−Ｃ矢視図である。
【図１４５】同上浄水機能付きシャワーヘッドの固定仕切部材を示す説明図であり、（Ａ）は縦断面図、（Ｂ）は上平面図、（Ｃ）は下平面図である。
【図１４６】同上浄水機能付きシャワーヘッドの軸着部材を示す説明図であり、（Ａ）は縦断面図（（Ｂ）におけるＦ−Ｆ矢視図）、（Ｂ）は上平面図、（Ｃ）は下平面図、（Ｄ）は（Ａ）と別の断面位置における縦断面図（（Ｂ）におけるＥ−Ｅ矢視図）である。
【図１４７】同上浄水機能付きシャワーヘッドの中間仕切部材を示す説明図であり、（Ａ）は縦断面図（（Ｂ）におけるＪ−Ｊ矢視図）、（Ｂ）は上平面図、（Ｃ）は下平面図、（Ｄ）は（Ａ）と別の断面位置における縦断面図（（Ｂ）におけるＫ−Ｋ矢視図）である。
【図１４８】同上浄水機能付きシャワーヘッドの外周部材を示す説明図であり、（Ａ）は縦断面図、（Ｂ）は上平面図である。
【図１４９】同上浄水機能付きシャワーヘッドの吐出面形成部材を示す説明図であり、（Ａ）は縦断面図（（Ｂ）におけるＨ−Ｈ矢視図）、（Ｂ）は平面図、（Ｃ）は平面断面図（（Ａ）におけるＩ−Ｉ矢視図）である。
【図１５０】同上浄水機能付きシャワーヘッドの回動式の吐出切換弁におけるストレート吐出時の固定仕切部材と軸着部材との相対的な位置関係を示す説明図であり、（Ａ）は固定仕切部材の平面図、（Ｂ）は固定仕切部材と同じ向きをしている軸着部材の平面図、（Ｃ）は固定仕切部材と軸着部材とのストレート吐出位置を示す断面説明図である。
【図１５１】同上浄水機能付きシャワーヘッドの回動式の吐出切換弁におけるマッサージ吐出時の固定仕切部材と軸着部材との相対的な位置関係を示す説明図であり、（Ａ）は固定仕切部材の平面図、（Ｂ）は固定仕切部材と同じ向きをしている軸着部材の平面図、（Ｃ）は固定仕切部材と軸着部材とのマッサージ吐出位置を示す断面説明図である。
【図１５２】同上浄水機能付きシャワーヘッドの回動式の吐出切換弁におけるシャワー吐出時の固定仕切部材と軸着部材との相対的な位置関係を示す説明図であり、（Ａ）は固定仕切部材の平面図、（Ｂ）は固定仕切部材と同じ向きをしている軸着部材の平面図、（Ｃ）は固定仕切部材と軸着部材とのシャワー吐出位置を示す断面説明図である。
【図１５３】本発明による第１０実施例の浄水機能付きシャワーヘッドにおける流路切換弁の浄水側遮断弁が開位置にある場合を示す平面断面図である。
【図１５４】同上浄水機能付きシャワーヘッドにおける流路切換弁の浄水側遮断弁が開位置にある場合の原水側遮断弁の位置で破断した場合を示す縦断面図（図１５３のＢ−Ｂ矢視図）である。
【図１５５】同上浄水機能付きシャワーヘッドの頭部における流路切換弁の浄水側遮断弁が開位置にある場合の図１５３のＡ−Ａ矢視の断面位置に浄水側遮断弁の断面を合成して示す縦断面図である。
【図１５６】同上浄水機能付きシャワーヘッドの頭部における回動式の吐出切換弁がストレート吐出位置にある場合の縦断面図（図１５３のＡ−Ａ矢視図）である。
【図１５７】同上浄水機能付きシャワーヘッドの頭部における回動式の吐出切換弁がマッサージ吐出位置にある場合の縦断面図（図１５３のＡ−Ａ矢視図）である。
【図１５８】同上浄水機能付きシャワーヘッドの頭部における回動式の吐出切換弁がシャワー吐出位置にある場合の縦断面図（図１５３のＡ−Ａ矢視図）である。
【図１５９】同上浄水機能付きシャワーヘッドの頭部を示す縦断面側面図である。
【図１６０】同上浄水機能付きシャワーヘッドの頭部を示す断面説明図であり、（Ａ）は図１５９におけるＰ−Ｐ矢視図、（Ｂ）は図１５９におけるＯ−Ｏ矢視図である。
【図１６１】同上浄水機能付きシャワーヘッドの（第１の）仕切部材を示す外観図であり、（Ａ）は側面図、（Ｂ）は正面図、（Ｃ）は上平面図、（Ｄ）は下平面図、（Ｅ）は後正面図である。
【図１６２】同上浄水機能付きシャワーヘッドの（第１の）仕切部材を示す断面図であり、（Ａ）は図１６１（Ｃ）のＡ−Ａ矢視図、（Ｂ）は図１６１（Ｃ）のＢ−Ｂ矢視図、（Ｃ）は図１６１（Ｃ）のＣ−Ｃ矢視図、（Ｄ）は（Ｂ）のＤ−Ｄ矢視図である。
【図１６３】同上浄水機能付きシャワーヘッドの（第２の）仕切部材を示す説明図であり、（Ａ）は縦断面図、（Ｂ）は平面図である。
【発明を実施するための形態】
【００１１】
本発明における以下の実施の形態では、台所の流しに設ける蛇口に代えて浄水機能付きシャワーヘッドを設けた場合について説明する。
なお、この実施の形態は、発明の趣旨をより良く理解させるため具体的に説明するものであり、特に指定のない限り、発明内容を限定するものではない。
【００１２】
この実施の形態における台所は、図１に示すように、流し台１の上方に湯と水とを混合して流す混合水栓２の吐出口が位置するように配置し、この混合水栓２に接続されたフレキシブルなホース３の先端に浄水機能付きシャワーヘッド１０を取り付け、混合水栓２の下部で回動自在に設けられたシャワーヘッド支持部材（以下、ホルダ部という）４に着脱自在に係止して、ホルダ部４に浄水機能付きシャワーヘッド１０を係止したままの状態で、またはホルダ部４から浄水機能付きシャワーヘッド１０を取り外してホース３を必要に応じて引き出し曲げて使用することにより、水または湯または湯水混合水（以下、単に混合水という）を吐出したときに、流し台１の中央部周辺のみで混合水を使用し、または流し台１の中央部から周辺部に至るまで混合水を自在に供給できるようにする。
【実施例１】
【００１３】
前記流し台１の混合水栓２に取り付けられる浄水機能付きシャワーヘッドにつき多数の実施例を以下に説明する。
〔第１実施例〕
〔構成〕
ここで用いられる浄水機能付きシャワーヘッド１０は、図２〜４の外観図に示すように、台所の流しで使用されるシャワーヘッドとして利用できるようにするため、混合水栓２のホース３に取付けできる端部を有する把持部１１と、この把持部１１のホース取付側とは反対側の端部にシャワー吐出口１２ａを一体的に設けた頭部１２とを備える。
【００１４】
把持部１１は、中間部で頭部１２側の筒部１１ａとホース取付側の筒部１１ｂとに分け、これらを着脱自在かつ一体的に組み合わせることができるようにする中継用ねじ部１１ｃを設け、この中継用ねじ部１１ｃの螺合を解除して筒部１１ａと筒部１１ｂを分離することにより、把持部１１の内部に水質浄化用カートリッジ（図５，６参照）１５を収容することができるようにし、そして、ホース取付側の端部にはホース取付ねじ１１ｄを設けた厚肉円筒状のホース接続部１１ｆを形成して、ホースとの着脱を容易にする。
【００１５】
頭部１２には、把持部１１側とは反対側の位置に流路切換用の押しボタン１３を突出し、押しボタン配設位置の略 90 度回動した位置に平面状のシャワー吐出口１２ａを形成し、そのシャワー吐出口１２ａの中央部にはストレート吐出口１２ｂを形成する。そして、押しボタン１３の配設位置の直近の下流側に、ストレート吐出口１２ｂからの吐出とシャワー吐出口１２ａからの吐出とを切り換える切換レバー１４を、シャワー吐出口１２ａを形成している面から突出配置されている。
【００１６】
浄水機能付きシャワーヘッド１０は、図５〜７に示すように、把持部１１の内部に水質浄化用カートリッジ１５を収容する。
この水質浄化用カートリッジ１５を収容した把持部１１では、水質浄化用カートリッジ１５の外周側流路２１を原水流路の一部とし、水質浄化用カートリッジ１５の中央空間部２２を浄水流路の一部として利用する。
【００１７】
水質浄化用カートリッジ１５は、中心軸と同心的に孔（中央空間部２２）を設けて円筒状に形成した水質浄化材１５ａと、その下流側に不織布、スポンジまたは網等からなるフィルタ１５ｂ，１５ｃに挟持されて配設された粒状あるいはペレット状の殺菌セラミック１５ｄとを、３つに分割したキャップ１５ｅ，１５ｆ，１５ｇによって形成される２つの空間にそれぞれ収容したものである。
【００１８】
そして、周壁にスリットを多数設けた有底円筒形状に形成したキャップ１５ｅと、円筒形状の中央部に流体通路となる孔を穿設した軸方向に垂直な面の水質浄化材支持壁を有して各端部に他のキャップ１５ｅ，１５ｇとの嵌合部を形成したキャップ１５ｆとにより設けられた空間に、水質浄化材１５ａを収容する。
【００１９】
また、キャップ１５ｆとは異径の２つの円筒を軸方向に垂直な壁面により接続し、２つの円筒のうち大径側の円筒にキャップ１５ｆとの嵌合部を形成し、小径側の円筒に頭部１２側に設けた（後述の）カートリッジ受け１１ｅとの嵌合部を形成したキャップ１５ｇにより設けられた、大径側の円筒の内部空間に、フィルタ１５ｂ，１５ｃに挟持された殺菌セラミック１５ｄを収容する。
【００２０】
収容される水質浄化材１５ａは、活性炭を主成分とし、円筒状に固めたもので、この円筒状の外周面と中心孔との間を混合水が透過する時に、水中に溶解した化学成分や浮遊している微細な固形物質が吸着または濾過される。
【００２１】
また、殺菌セラミック１５ｄは、リン酸カルシウムを母体として酸化亜鉛、モンモリロナイト等を混合して粒状あるいはペレット状に焼結したものに銀あるいは銅等を吸着したもので、その表面に水中の有害な細菌類を吸着して殺菌するとともに金属イオンを放出して水中の有害な細菌類を殺菌または滅菌し、水質を無害化する。
【００２２】
把持部１１の頭部１２側の筒部１１ａにおける内端部には、水質浄化用カートリッジ１５の先端部（キャップ１５ｇの小径側の端部）を差し込み固定する円筒状のカートリッジ受け１１ｅを突設する。
このカートリッジ受け１１ｅに水質浄化用カートリッジ１５のキャップ１５ｇの小径側の端部を差し込むことにより、水質浄化用カートリッジ１５が位置固定される。
【００２３】
キャップ１５ｇの小径側の端部には周面にＯリング１５ｈが周設され、カートリッジ受け１１ｅに差し込んだ場合にカートリッジ受け１１ｅの内周面に密接するＯリング１５ｈにより漏れが止められる。
【００２４】
そして、カートリッジ受け１１ｅの外周側の流路２３が、水質浄化用カートリッジ１５の外周側流路２１と連通して原水流路の一部として利用され、さらにカートリッジ受け１１ｅの内面側の流路２４が水質浄化用カートリッジ１５の中央空間部２２と殺菌セラミック１５ｄを介して連通することにより浄水流路の一部として利用される。
【００２５】
これにより、浄水吐出の場合には、把持部１１内に流入した混合水が、水質浄化用カートリッジ１５の外周側流路２１から水質浄化用カートリッジ１５の水質浄化材１５ａを通過して水質を浄化し、水質浄化材１５ａの中央空間部２２に流出して引き続きフィルタ１５ｂ、殺菌セラミック１５ｄ、フィルタ１５ｃを通過して殺菌または滅菌して水質を無害化し、その後、カートリッジ受け１１ｅの内面側の流路２４を介して頭部１２側に流出し、頭部１２から外部へ吐出する。
【００２６】
また、原水吐出の場合には、水質浄化用カートリッジ１５の外周側流路２１を通過し、カートリッジ受け１１ｅの外周側の流路２３を介して頭部１２側に流出し、頭部１２から外部へ吐出する。
この原水吐出の場合には、混合水が水質浄化用カートリッジ１５の外周側に形成された流路２１を通過するため、浄水吐出時に蓄積された水質浄化材表面に付着した目詰まりを引き起こすような微細な固形物質等を洗い流し、浄化吐出時に目詰りしにくくし、水質浄化材１５ａの浄化能力を高レベルに維持するとともに寿命を長くする。
特に、湯を原水吐出する場合には、湯温が高温であるほど、水質浄化材１５ａの主成分である活性炭から浄水吐出時に吸着したトリハロメタンや金属イオン等を放出して、効果的に除去することができ、活性炭の再生効果を高めることができる。
【００２７】
浄水機能付きシャワーヘッド１０は、図５，６，８〜１２に示すように、頭部１２に押しボタン１３と切換レバー１４とを突出している。
このうち、押しボタン１３は、原水流路（２１，２３）と浄水流路（２２，２４）とを各別に接続する遮断弁１６と遮断弁１７に連結し、これらの遮断弁１６，１７を流路切換弁（水質切換弁）として同時に操作できるようにしている。
【００２８】
この流路切換弁の下流側には、原水側では、遮断弁１６の下流側に混合水の流速を下げる空間として弁下流側空間１８を設け、その弁下流側空間１８の底面の中央部に弁下流側空間１８からシャワー吐出口１２ａとストレート吐出口１２ｂとのそれぞれの入口部に流出する集合通過部２５を設け、この集合通過部２５から僅かに隙間をあけた直近の下流にはストレート吐出口１２ｂの筒状に形成された入口部を形成し、集合通過部２５とストレート吐出口１２ｂの入口部との間の隙間に吐出切換弁２６の弁体２６ａを配置し、ストレート吐出口１２ｂの入口部の外周側をシャワー吐出口１２ａの入口部にする。
【００２９】
浄水側では、遮断弁１７の下流側に浄水吐出口１９への専用の弁下流側流路２０を形成して浄水と原水との流路を分離する。そして、浄水吐出口１９はシャワー吐出口１２ａの形成範囲内で、ストレート吐出口１２ｂの中心に対して吐出切換弁２６の回転軸設置位置から 90 度振った位置に設け、浄水吐出口１９から吐出した場合に、頭部１２の中心に位置した原水のストレート吐出とは位置が偏心しているため容易に浄化された混合水であることを区別できるようになる。
【００３０】
吐出切換弁２６は、集合通過部２５とストレート吐出口１２ｂの入口部との間に設けられた隙間に出入り自在に形成するとともに上面を浅い凹面に形成した弁体２６ａと、シャワー吐出口１２ａを貫通して軸回りに回動自在に支持されてシャワー吐出口１２ａの内部に位置する端部に弁体２６ａの取付端を固着するとともにシャワー吐出口１２ａの外部に位置する端部に切換レバー１４の取付端を固着した軸部２６ｂとからなる。
【００３１】
遮断弁１６と遮断弁１７とは、図５，８〜１０，１２に示すように、原水流路（２１，２３）と連通する遮断弁１６と浄水流路（２２，２４）と連通する遮断弁１７との間で、それぞれ弁座１６ａと弁座１７ａとの位置が、把持部１１の軸方向に対してずれており、押しボタン１３の押込み量によっていずれか一方の弁が閉じられるように配置される。
【００３２】
遮断弁１６は、図８，１０に示すように、押しボタン１３の浅い押込み量で弁閉となるように弁座１６ａの位置が定められ、その弁座１６ａを環状体に形成し、その環状体の孔部に上流側から鋼球等の硬い球形（ボール）に形成した弁体１６ｂを載せることにより弁閉にする。
この遮断弁１６では箱型の弁体支持部材１６ｃを形成して、その弁体支持部材１６ｃの内部にコイルスプリング１６ｄと弁体１６ｂとを収容し、コイルスプリング１６ｄの押圧力によって弁体１６ｂを弁座１６ａ側に押し付ける。
【００３３】
遮断弁１７は、図８，９，１２に示すように、押しボタン１３の深い押込み量で弁閉となるように弁座１７ａの位置が定められ、その弁座１７ａを環状体に形成し、その環状体の孔部に上流側から鋼球等の硬い球形（ボール）に形成した弁体１７ｂを載せることにより弁閉にする。
この遮断弁１７では箱型の弁体支持部材１７ｃを形成して、その弁体支持部材１７ｃの内部にコイルスプリング１７ｄと弁体１７ｂとを収容し、コイルスプリング１７ｄの押圧力によって弁体１７ｂを弁座１７ａ側に押し付ける。
【００３４】
図１０のように遮断弁１６が弁閉になる位置で止まっている場合には、押しボタン１３の押込み量が浅いため、遮断弁１７は、図９，１２のように弁体１７ｂが弁座１７ａのヘリの部分で止まっている状態になり、環状体に形成された弁座１７ａの孔部に達しないため、弁開の状態のままになる。
【００３５】
押しボタン１３と遮断弁１６および遮断弁１７との間には、図５，８，１３に示すように、弁体支持部材１６ｃと弁体支持部材１７ｃとに係合して弁体支持部材１６ｃと弁体支持部材１７ｃとを同時に押すことにより弁体１６ｂと弁体１７ｂとが同時に移動できるようにする２つのプッシュロッド３１，３１を一体に設けた切換軸１３ａと、この切換軸１３ａの移動距離を変えるためのカム機構を構成する３つの部品である切換リング１３ｂ、第１切換こま１３ｃ、第２切換こま１３ｄを組み合わせたものとを所定位置に嵌め合わせる。
【００３６】
切換軸１３ａは、２つのプッシュロッド３１，３１を両脇に配置し、中央部には弁側に底部を向けた有底円筒部材３２を配置し、２つの板状の支持部材３３，３３により有底円筒部材３２と各プッシュロッド３１，３１をそれぞれ所定の間隔で結合する。
【００３７】
各プッシュロッド３１，３１の支持部材３３を結合した部分の外側の端部には押しボタン１３の側面と係合するための爪部材３４，３４をそれぞれ端部に近接離間自在な弾力性を持たせて突出形成し、爪部材３４，３４を設けたそれぞれの端部には各爪部材３４，３４の突出方向に対して垂直な方向に、プッシュロッド３１，３１の移動方向に対するガイドをする案内部材３５，３５，３５，３５を突出形成する。
【００３８】
切換リング１３ｂは、図１４（Ａ），…，（Ｅ）に示すように、円筒部３６の内径側に溝３６ａを刻設し、円筒部３６の外周側に鍔部３７を設け、この鍔部３７の上下頂部に後述する切換カバー１３ｅと係合して位置固定する爪部３８，３８を突出する。
【００３９】
円筒部３６の内径側に刻設する溝３６ａは、軸方向に浅い溝３６１と軸方向に深い溝３６２とが交互に刻設され、その溝でない部分の切換軸側の端面には同一方向へ傾いた傾斜面３６ｂが形成され、当接する第１切換こま１３ｃに設けられたリブ４３の端部が、形成された傾斜面３６ｂの方向に従って移動し、誘導されて、刻設された浅い溝３６１と軸方向に深い溝３６２とのいずれかの溝に入り込むようになる。
【００４０】
第１切換こま１３ｃは、図１５（Ａ），…，（Ｅ）に示すように、細軸部４１と太軸部４２とに分かれ、太軸部４２に軸方向へ延びたリブ４３を周上等ピッチに３つ立設する。このリブ４３の切換リング側に位置する端部には、切換リング１３ｂの切換軸側の端面に設けられた傾斜面３６ｂと同じ方向に向いて傾斜する傾斜面４３ａを形成する。
【００４１】
第２切換こま１３ｄは、図１６（Ａ），…，（Ｄ）に示すように、一端には第１切換こま１３ｃの細軸部４１が挿入され、他端には押しボタン１３の内側中央部に突出した位置決め支持棒１３ｆが挿入される孔を有する円筒状の部材４４に、第１切換こま側に位置する端部には周上等ピッチに６個のリブ４５を立設し、リブ立設側の端部には第１切換こま１３ｃに設けたリブの傾斜面４３ａを形成した端部が当接する端面が傾斜した凹部４４ａを形成し、この凹部に当接した第１切換こま１３ｃのリブ４３がその傾斜した凹部４４ａの傾斜面に沿って移動することにより第１切換こま１３ｃが一定方向へ回転する。
【００４２】
切換カバー１３ｅは、図１３に示すように、プッシュロッド挿通孔４６，４６を穿設した板部４７の中間部に、切換軸１３ａの有底円筒部材３２を軸方向へ移動自在に内嵌するとともに切換リング１３ｂの円筒部３６を内嵌する筒部４８を形成し、この筒部４８の先端部の上下位置に切換リング１３ｂの爪３８，３８を係合する孔４９，４９を穿設し、筒部４８のプッシュロッド挿通孔４６，４６が穿設された側の側面には切換軸１３ａの支持部材３３，３３が軸方向へ移動自在に通過できるようにする切欠き部５０，５０を形成する。
【００４３】
頭部１２の内部を仕切る仕切部材１２ｃのプッシュロッド挿通孔５１（５１ａ，５１ｂ）を穿設した側壁と、切換カバー１３ｅのプッシュロッド挿通孔４６，４６を穿設した板部４７との間には、各プッシュロッド挿通孔４６，４６，５１，５１の穿設位置に合わせてＯリング５２，５２を介装するとともにその中間部にコイルスプリング５３を配置介装して、切換軸１３ａの有底円筒部３２の底部を仕切部材１２ｃの側壁から離間する方向へばね付勢する。
【００４４】
コイルスプリング５３の付勢力によって切換軸１３ａが仕切部材１２ｃの側壁から離間する方向へ移動する場合、切換リング１３ｂの深い溝３６ａ（３６２）に第１切換こま１３ｃのリブ４３が入って、移動を邪魔するものが何もない状態になれば、有底円筒部材３２に当接している第１切換こま１３ｃおよび第２切換こま１３ｄが、切換リング１３ｂの円筒部３６に刻設された深い溝３６ａ（３６２）内を切換軸１３ａの移動方向と同じ方向へ摺動し、切換軸１３ａに設けた有底円筒部材３２の開口側の端縁が切換リング１３ｂの鍔部３７に当接して止まるまで移動する。
【００４５】
流路切換弁下流側の流路は、図１３，１７〜２５に示す仕切部材１２ｃ、（第２の）仕切部材１２ｄ、浄水吐出口１９への弁下流側流路２０の一部を形成する浄水導管６５、シャワー吐出口１２ａとストレート吐出口１２ｂを形成するシャワープレート１２ｅおよびシャワープレート抑え１２ｆによって形成される。
【００４６】
（第１の）仕切部材１２ｃは、図１７，１８に示すように、頭部１２の吐出側と切換弁組込側との境界を規定する形状を有する仕切り５５を形成し、この仕切り５５の上部に各流路切換弁の入口側流路と接続する原水側の弁内空間５６、浄水側の弁内空間５７を形成し、仕切り５５の下側には弁下流側空間１８を形成する。また、仕切り５５の各弁内空間５６，５７を形成する位置には略中央部に弁座１６ａ，１７ａを形成する部材を嵌合する嵌合孔５８，５９を穿設する。この嵌合孔５８と嵌合孔５９とは、弁座１６ａと弁座１７ａとが押しボタン１３の押込み量によっていずれか一方の弁が閉じられるように、押し込み方向に位置をずらして穿設する。
【００４７】
弁座１６ａと弁座１７ａとは、図１９に示すように、同一の形状をした段違いのある階段状の断面を有する環状部材で、上面側は上面を弁体当接面に形成し、外形を仕切部材１２ｃの嵌合孔５８または嵌合孔５９に合わせた円周面を成形して嵌め込み容易に形成し、下面側は外形を嵌合孔５８または嵌合孔５９に合わせた円周面を成形するとともに内形を後述の（原水側の）弁座抑え６０または浄水導管６５との嵌合可能に成形する。
【００４８】
原水側の弁座抑え６０は、図２０に示すように、上面および外周に突出部がある厚肉の略矩形断面の環状体で、上面には弁座１６ａの下面側に形成された嵌合孔に嵌合可能に突出した環状突起６０ａを設け、外周には仕切部材１２ｃの嵌合孔５８に嵌合時のストッパとなる外方へ張り出したフランジを形成するフランジ状突出部６０ｂを設ける。
【００４９】
（第２の）仕切部材１２ｄは、図２１に示すように、外周縁に短い円筒状の環状部材６４，６４ｂを各面側に突設した円盤状の部材に形成し、円盤部の中央部に弁下流側空間１８からシャワー側空間１８ａまたはストレート吐出口１２ｂの入口部へ移行するための集合通過部２５を嵌合する嵌合孔６１を穿設し、中央部と周辺部との中間位置に浄水吐出口１９を有する浄水通路６２を設ける。浄水通路６２の弁下流側空間１８側に位置する端部には浄水導管６５を嵌合することができるように、浄水導管６５に嵌合できる径を有する円筒状の上端部６３を形成する。外周縁の下側の環状部材６４には外周面に雄ねじ６４ａを形成して後述のシャワープレート抑え１２ｆを螺合できるようにする。
【００５０】
弁下流側流路２０の一部を形成する浄水導管６５は、図２２，２３に示すように、上端には弁座１７ａの背面側の形状に合わせた上端部６５ａを形成して、弁体当接面を上方に向けた弁座１７ａを取り付けることができるようにし、下端には仕切部材１２ｄに形成された円筒状の上端部６３と内嵌できる径に形成された厚肉円筒状の下端部６５ｂを形成し、この下端部６５ｂの外周にはＯリング溝６５ｃを刻設して、Ｏリング溝６５ｃにＯリングをはめ込んで仕切部材１２ｄに設けられた円筒状の上端部６３に嵌合した場合にＯリングによって漏止めできるようにしている。
【００５１】
上端部６５ａと下端部６５ｂとの間は、ほぼ水平方向に向けて延設された断面矩形状の流路６５ｄによって連通し、この流路６５ｄの流路長さは浄水側の流路切換弁１７の中心位置から仕切部材１２ｄに設けられた円筒状の上端部６３の中心位置までの直線距離に等しくして、上端部６５ａを仕切り部材１２ｃの浄水側の嵌合孔５９にはめ込んだ後、この嵌合孔５９の中心を回動軸として浄水導管６５を回動させて、仕切部材１２ｄに設けられた円筒状の上端部６３の位置まで下端部６５ｂを移動して位置合わせをすることにより、仕切部材１２ｄ側と嵌め合わせることができるようにする。
【００５２】
シャワープレート１２ｅは、図２４に示すように、シャワー吐出口１２ａとストレート吐出口１２ｂとを穿設する。シャワープレート１２ｅにはストレート吐出口１２ｂに隣接して吐出切換弁２６の軸２６ｂを貫通させて軸支する軸孔６６を穿設し、この軸孔６６からストレート吐出口１２ｂを中心にして 90 度回動した位置には浄水吐出口１９を有する浄水通路６２の先端部を嵌合する嵌合孔６７を穿設する。そして、シャワープレート１２ｅの面におけるストレート吐出口１２ｂ、軸孔６６、嵌合孔６７によって占められる面の残りの部分には、シャワー吐出孔１２ｂとなる小孔を多数個につき穿設する。
【００５３】
シャワープレート抑え１２ｆは、図２５に示すように、下端に内側に突出した張出部６８を設けた断面が略板状のリング部材で、頭部の周面下端部からシャワー面の周端部を形成する外形に成形し、内周面側には雌ねじ６９を形成して、仕切部材１２ｄに設けた雄ねじ６４ａに螺合できるようにする。
【００５４】
〔作用効果〕
このように構成した実施の形態においては、頭部１２に組み込まれている押しボタン１３を操作することにより、押しボタン１３が頭部１２より突き出ている状態（浅い押込量）では浄化された混合水が流出し、押しボタン１３が頭部１２に入り込んで突き出ている量が少なくなっている状態（深い押込量）では原水が流出する。
【００５５】
まず、図８〜１０，１２に示すように浅い押込量で浄化された混合水が流出しているものとする時、図２６〜２８に示すように深い押込量になるように押しボタン１３を押すと、押しボタン１３に当接している第２切換こま１３ｄが第１切換こま１３ｃを押し、第１切換こま１３ｃから切換軸１３ａへ押圧力を伝達して、コイルスプリング５３の付勢力に抗して切換軸１３ａを仕切部材１２ｃの側壁に近接する方向へ移動する。
【００５６】
この時、第１切換こま１３ｃが切換リング１３ｂの溝を摺動して、その溝から外れるまで移動すると、第２切換こま１３ｄに押されている第１切換こま１３ｃは第２切換こま１３ｄと第１切換こま１３ｃとの当接部の形状に従って密着する向きに変わるように動いて結果として回転し、第１切換こま１３ｃと切換リング１３ｂの端面３６ｂとの相対的な位置を変更するとともに、遮断弁１６を開き、遮断弁１７を閉じて、原水の流出に切り換える。
【００５７】
遮断弁１６が開き、遮断弁１７が閉じて、コイルスプリング５３の付勢力によって遊び分だけ切換軸１３ａを戻し、第１切換こま１３ｃに設けられたリブの端部が切換リング１３ｂに刻設された浅い溝側に当接して位置固定すると、流出する混合水が原水になる。
【００５８】
再度、押しボタン１３を押して、押しボタン１３に当接している第２切換こま１３ｄから第１切換こま１３ｃ、さらに切換軸１３ａへ押圧力を伝達することにより、コイルスプリング５３の付勢力に抗して切換軸１３ａを仕切部材１２ｃの側壁に近接する方向へ移動させると、第１切換こま１３ｃに設けられたリブの端部が切換リング１３ｂに刻設された浅い溝３６ａ（３６１）との係合を外し、第２切換こま１３ｄに押されている第１切換こま１３ｃが、第２切換こま１３ｄと第１切換こま１３ｃとの当接部の形状に従って密着する向きに変わるように動き、結果として回転して、第１切換こま１３ｃと切換リング１３ｂの端面３６ｂとの相対的な位置を変更する。
【００５９】
これにより、図８〜１０に示すように、切換リング１３ｂの軸方向に深い溝３６ａ（３６２）に第１切換こま１３ｃに設けられたリブ４３が入り、コイルスプリング５３の付勢力によって、第１切換こま１３ｃに設けられたリブ４３を切換リング１３ｂの溝に沿って仕切部材１２ｃの側壁から離間する方向へ摺動させることになり、第１切換こま１３ｃに当接している切換軸１３ａを仕切部材１２ｃの側壁から離間する方向へ移動させて、遮断弁１６を閉じ、遮断弁１７を開いて、浄水の流出に切り換える。
【００６０】
浄水流出時は、図１２に示すように、遮断弁１７の弁座１７ａを通過して弁下流側流路２０へ流出し、その弁下流側流路２０から浄水導管６５を介して浄水流路６２の下端に形成された浄水吐出口１９から吐出するようになる。
また、原水流出時には、図２６〜２８に示すように、遮断弁１６の弁座１６ａを通過して弁下流側空間１８に流出し、この弁下流側空間１８から集合通過部２５を介して切換レバー１４により指定されたシャワー吐出またはストレート吐出をする。
【００６１】
原水の吐出時において、シャワー吐出している場合に、押しボタン１３の操作とは独立に、切換レバー１４を操作して軸部２６ｂを中心に弁体２６ａを回動すると、弁体２６ａがストレート吐出口１２ｂの入口部から外れ、集合通過部２５からでる混合水がストレート吐出口１２ｂの入口部へ流入し、ストレート吐出するようになる。
【００６２】
また、原水の吐出時にストレート吐出している場合に、切換レバー１４を反対方向へ操作して、軸部２６ｂを中心に逆回りに弁体２６ａを回動すると、弁体２６ａがストレート吐出口１２ｂの入口部に入り、集合通過部２５からでる混合水がストレート吐出口１２ｂの入口部へ流入することを阻止してシャワー吐出口１２ａ側へ流路を変更し、シャワー側空間１８ａに流入してシャワー吐出口１２ａからシャワー吐出するようになる。
【００６３】
このような第１実施例では、浄水吐出口１９がシャワー吐出口形成領域内に原水吐出流路とは別個に形成されているため、原水吐出とは容易に識別できるとともに浄水吐出時にはシャワー吐出とストレート吐出との切換を行うことなく使用できて操作が容易となり、識別性及び操作性を向上させることができる。
【００６４】
また、水質を切り換えるための遮断弁１６，１７からなる流路切換弁に係る大きさの制約を頭部１２に組込可能な範囲まで広げることができて、流路切換弁の大きさの制約が大幅に緩和でき、頭部１２側で流路切換弁の操作が可能になるため操作性が良くなり、また、頭部１２と把持部１１との重量配分がバランス良く配分できて、シャワーヘッド取扱上もバランスの良い、形状・構造にすることができる。
【００６５】
把持部１１に水質浄化用カートリッジ１５を内蔵することにより、水質浄化用カートリッジ１５の外周側に原水流路の一部が形成でき、この原水流路から水質浄化用カートリッジ１５に設けられた水質浄化材１５ａを介して中心部に形成された中央空間部２２に至る浄水流路の一部が形成できて、流路構成が簡素化できるとともにコンパクトにでき、把持部１１の構造が単純になって水質浄化材１５ａの内容物をより多く収納できるようになる。
【００６６】
水質浄化材１５ａよりも上流側の流路が原水と浄水との共用流路となり、浄水吐出時に蓄積された目詰りを引き起こすような固形物質その他の蓄積物を原水吐出時に洗い流すことができ、目詰りしにくくするとともに水質浄化材１５ａの寿命を長くすることができる。
【００６７】
把持部１１には水質浄化用カートリッジ１５が内蔵され、頭部１２には流路切換弁が組み込まれて、流路が簡潔にでき、重量配分が良く、取扱上、非常にバランスの良いシャワーヘッドとなり、軽量且つ安価となる。
【００６８】
流路切換弁は、原水用の遮断弁１６と浄水用の遮断弁１７とが同じ押しボタン１３によって交互に流路を遮断する交互切換式遮断弁となっているため、頭部１２に突出した押しボタン１３を押すことにより、浄水と原水とを切り換えて使用することができ、操作性が向上する。
【００６９】
また、交互切換式遮断弁の原水用の遮断弁１６と浄水用の遮断弁１７とがそれぞれ球状弁体１６ｂ，１７ｂであるため、弁閉時には、球状弁体１６ｂ，１７ｂに加えられる水圧が、コイルスプリング１６ｄ，１７ｄの付勢力とともに、球状弁体１６ｂ，１７ｂを弁座１６ａ，１７ａに押し付けるように作用して、確実にシールすることができるようになる。
【００７０】
吐出切換弁２６が、流路切換弁のうち原水側の遮断弁１６の下流側に設けられた流路中に、レバー操作の遮断弁が形成されているため、原水の吐出では、シャワー吐出とストレート吐出とのどちらでも容易に選択でき、高い利便性を維持することができる。
なお、流路切換弁への流入路を変更して、遮断弁１６側を浄水側とし、遮断弁１７を原水側とすれば、浄水側にシャワー吐出とストレート吐出との切換可能な流路を構成できる。
また、この実施例では、流路切換弁に２つの遮断弁１６，１７を具備した構成にしているが、１つの遮断弁で流路の切換を行うように構成しても良い。
この浄水機能付きシャワーヘッド１０は、台所の他、洗面所や風呂場等でも用いることができ、汎用性が非常に高いものとなる。
【００７１】
〔第２実施例〕
〔構成〕
第１実施例の浄水機能付きシャワーヘッド１０は混合水が浄化後に流路切換弁の浄化側の遮断弁に達するように流路を構成しているが、この第２実施例の浄水機能付きシャワーヘッド２００では、図２９，３０に示すように、流路切換弁の浄化側の遮断弁を通過してから水質浄化用カートリッジの水質浄化材を透過して水質を浄化するように構成している点が異なる。
以下の説明では、流路の構成に係る部材以外の個々の部材については第１実施例と同じ構成にして頭部に設けた押しボタンによって浄水と原水とを切り換えるシャワーヘッドを形成するため、第１実施例における部材と同じ構成の部材については同じ番号または数字の下２桁を合わせるように付して説明を省略する。
【００７２】
頭部１２側から突出している筒部１１ａの内側に、所定の流路幅をあけて同心的に筒部１１ａよりも長い内筒部２０１を形成し、そして、内筒部２０１の内側には、カートリッジ受け２１１を先端部に形成して水質浄化用カートリッジ１５をその頭部側の端部を内嵌して取り付けられるようにする。
【００７３】
内筒部２０１の長さは、カートリッジ受け２１１に取り付けられた水質浄化用カートリッジ１５の上流側の端部に達するまでの長さを有し、水質浄化用カートリッジ１５がカートリッジ受け２１１に装着されたときに内筒部２０１の先端と水質浄化用カートリッジ１５の上流側の端部が当接して密閉できるように形成して、カートリッジ装着時には内筒部２０１の外側に原水流路２０２、内筒部２０１の内側にカートリッジ外周流路２０３を形成できるようにする。
【００７４】
この場合に用いられる水質浄化用カートリッジ１５は、頭部１２側に配置されたカートリッジ受け２１１に嵌合するキャップ１５ｇを第１実施例のキャップ１５ｇと同じ形状に形成したものを用い、把持部１１の原水流入側に配置されるキャップ１５ｐを内筒部２０１の先端部に内嵌するとともに先端面に当接する厚肉部を有する有底円筒形状に形成し、キャップ１５ｐの厚肉部を有するキャップ端部には内筒部２０１に内嵌する部分の外周面にＯリング溝１５ｑを刻設し、このＯリング溝１５ｑにＯリング１５ｒを嵌着して、内筒部２０１への内嵌時に内筒部２０１の先端部内面にＯリング１５ｒを当接させて水漏れを防止する。
【００７５】
そして、頭部側では、図３０〜３５に示すように、遮断弁１６，１７の上流に共通の弁内空間２１０を設け、遮断弁１６の下流側には原水吐出側の流路となる弁下流側空間１８を形成するとともに、遮断弁１７の下流側には弁下流側空間１８と隔離された把持部１１側へ接続される流路２０４を形成し、遮断弁１７の下流側の流路２０４とカートリッジ外周流路２０３との間に開口形状が略矩形の開口２０４ａを設け、この開口２０４ａの外方が把持部１１側に形成された内筒部２０１のカートリッジ外周流路２０３の頭部側に位置する端部となり、遮断弁下流側に位置するカートリッジ上流側の流路を形成する。
【００７６】
カートリッジ受け２１１の内面側に形成された浄水流路２０６と頭部側の浄水流路２０８との間にも開口２０７，２０８ａを設け、カートリッジ受け２１１の内側からその基部に至る把持部側の浄水流路２０６と、開口２０７，２０８ａから浄水吐出口２１９に至る頭部側の浄水流路２０８とが連通して、水質浄化用カートリッジ１５を通過し浄化されて出てきた混合水のカートリッジ下流側における専用流路を形成する。
【００７７】
このため、水質浄化用カートリッジ１５を内筒部２０１に挿通し、先端のキャップ１５ｇをカートリッジ受け２１１に内嵌し、キャップ１５ｐのキャップ端部が内筒部２０１の先端に当接して位置固定すると、内筒部２０１と水質浄化用カートリッジ１５との間に形成される間隙によって、遮断弁１７の下流側に原水流路としてのカートリッジ外周流路２０３が形成されるから、把持部１１のホース接続部１１ｆから原水である混合水が流入すると、内筒部２０１の外周側に形成された原水流路２０２を通過して遮断弁１６，１７の上流に設けられた共通の弁内空間２１０に流入し、そして流路切換弁の遮断弁１７を通過した後の原水流路であるカートリッジ外周流路２０３に流入して、原水がカートリッジ外周流路２０３から水質浄化用カートリッジ１５を通過して中央空間部２２に流出するまでの間に浄化され、浄化された混合水がカートリッジ下流側の専用流路である浄水流路２０６、開口２０７，２０８ａおよび浄水流路２０８を通過して浄水吐出口２１９から吐出するようになる。
【００７８】
流路切換弁の下流側に水質浄化用カートリッジを配置した浄水機能付きシャワーヘッドでは、図３１〜３５に示すように、頭部１２に組み込まれた流路切換弁の１６，１７の弁座１６ａ，１７ａを配置するとともに流路切換弁前後の流路を仕切るための（第１の）仕切部材２１２と、弁座１６ａを支持するとともに浄水流路２０８と弁下流側空間１８との間を仕切る（第２の）仕切部材２１３と、原水側の遮断弁１６の下流側の流路である弁下流側空間１８と弁下流側空間１８から流入してシャワープレート２１６から吐出するための入口部となるシャワー側空間２１４との間を仕切る（第３の）仕切部材２１５とを配設して、流路切換弁下流側における水質浄化用カートリッジ前後の頭部側流路を形成する。
【００７９】
このうち、把持部１１の筒部１１ａを一体的に組み合わせた頭部１２では、図３６〜３７に示すように、頭部１２側から突出している筒部１１ａの内側に、所定の流路幅をあけて同心的に筒部１１ａよりも長い内筒部２０１を形成し、その内筒部２０１の内側には、カートリッジ受け１１ｅを先端部に形成して水質浄化用カートリッジ１５をその頭部側の端部を内嵌して取り付けられるようにするとともに、カートリッジ受け１１ｅの内面側に浄水流路２０６を形成して、水質浄化用カートリッジ１５を通過して浄化された混合水のカートリッジ下流側における浄水専用流路を形成する。
【００８０】
そして、この頭部１２の内面側には、流路切換弁等を収容する空間を有し、頂部が曲面に形成されるとともに主要部が略円筒状に形成された頭部外皮１２ｇに、円筒中心に対して筒部１１ａの反対側の位置に押しボタン１３が貫通する略矩形状の孔１２ｈを穿設し、頭部外皮１２ｇの頂部曲面の裏側には孔１２ｈに接する位置から流路切換弁の弁入口側の隔壁１２ｊまでに至る直線状に形成した複数のリブ１２ｉ，１２ｉを突設し、流路切換弁の弁箱の上部を形成する隔壁１２ｊにより形成された弁内空間２１０には頂部曲面の裏側に弁体支持部材１６ｃ，１７ｃの上面を当接して移動時の案内部材として機能する複数本のリブ１２ｌ，…，１２ｌを突設する。
【００８１】
（第１の）仕切部材２１２は、図３８，３９に示すように、頭部１２に組み込まれた流路切換弁の１６，１７の両弁座１６ａ，１７ａを取り付けるとともに流路切換弁前後の流路を仕切る板材２１２ａと、この板材２１２ａの上面外周に立設した弁内空間２１０の略下半分の高さを占める隔壁を形成する枠体（弁ケース形成枠）２１２ｂを形成し、板材２１２ａの下面外周には流路２０４と弁下流側空間１８とを確保する段違いの凹部を形成する隔壁を下方に立設する枠体（流路枠）２１２ｃを形成する。
【００８２】
そして、板材２１２ａの弁座１６ａ，１７ａを形成する位置には弁座１６ａ，１７ａを形成する部材を嵌合する嵌合孔２１２ｄ，２１２ｅを穿設する。その嵌合孔穿設位置の下側には弁座抑え６０または（第２の）仕切部材２１３に設けられた弁座抑え２１３ｃ（図４０参照）を嵌合するリング状嵌合部２１２ｆ，２１２ｇを垂下する。
各嵌合孔２１２ｄ，２１２ｅは、弁座１６ａと弁座１７ａとが押しボタン１３の押込み量によっていずれか一方の弁が閉じられるように、押し込み方向にずらして穿設する。
【００８３】
（第２の）仕切部材２１３は、図４０に示すように、円盤状に形成された板材２１３ａに、一面側には中央部に必要な孔２１３ｂを穿設した弁座抑え２１３ｃを突設し、他面側には浄水流路２０８の上端を封鎖する蓋となる嵌合端２１３ｄを突設する。
【００８４】
（第３の）仕切部材２１５は、図４１に示すように、外周縁に短い環状部材６４，２１５ｂを突設した円盤状の部材に形成され、円盤部２１５ａの中央部に弁下流側空間１８からシャワー側空間２１４あるいはストレート吐出口１２ｂへ流出するための集合通過部２５を嵌合する嵌合孔６１を穿設し、中央部と周辺部との中間位置に浄水吐出口２１９を有する円筒状の浄水通路６２を設ける。
浄水通路６２の上端部は仕切部材２１３の嵌合端２１３ｄを嵌め合わせることができるように寸法を合わせて形成する。外周縁の下側の環状部材６４には外周面に雄ねじ６４ａを形成してシャワープレート抑え１２ｆを螺合できるようにする（図３２，３５参照）。
【００８５】
シャワープレート２１６は、図４２に示すように、円盤状の板材２１６ａの中央部に円筒状のストレート吐出口１２ｂを形成し、ストレート吐出口１２ｂに隣接した外周寄りの位置に吐出切換弁２６の軸２６ｂを貫通させる軸孔２１６ｂを穿設し、この軸孔２１６ｂから１８０度回動した位置には浄水通路６２の浄水吐出口２１９を形成した端部を嵌合する嵌合孔２１６ｃを穿設し、これらが占める領域を除いた板材２１６ａにはシャワー吐出口１２ａとなる小孔を多数個につき穿設する。
【００８６】
〔作用効果〕
このような構成により、ホース接続部１１ｆから原水が流入すると、内筒部２０１の外周側に形成された原水流路２０２を通過して遮断弁１６，１７の上流に設けられた共通の弁内空間２１０に流入し、押しボタン１３の位置が浅い押込量の位置か深い押込量の位置かに従い遮断弁１６，１７のいずれか一方が開放状態となり、原水吐出か浄水吐出かに分かれる。
【００８７】
浄水吐出の場合には、図３１〜３５に示すように、押しボタン１３の位置が浅い押込量の位置で、混合水は遮断弁１７の弁座１７ａを通過して下流側の流路２０４から開口２０４ａを介してカートリッジ外周流路２０３に流入し、水質浄化用カートリッジ１５の水質浄化材１５ａを透過して中央空間部２２に流出し、この中央空間部２２からフィルタ１５ｂと殺菌セラミック１５ｄとフィルタ１５ｃとを透過し、さらにカートリッジ受け２１１内の浄水流路２０６を通過して開口２０７，２０８ａを介して浄水流路２０８に流出し、浄水吐出口２１９から吐出する。
【００８８】
また、原水の吐出時には、図４３〜４５に示すように、押しボタン１３の位置が深い押込量の位置で、混合水は遮断弁１６の弁座１６ａを通過して弁下流側空間１８に流出し、この弁下流側空間１８から集合通過部２５を介して吐出切換弁２６が選択しているシャワー吐出口１２ａまたはストレート吐出口１２ｂから原水のまま吐出する。
【００８９】
原水吐出時では、シャワー吐出している場合に、押しボタン１３の操作とは独立に、切換レバー１４を操作して軸部２６ｂを中心に弁体２６ａを回動すると、弁体２６ａがストレート吐出口１２ｂの入口部から外れ、原水が集合通過部２５からストレート吐出口１２ｂの入口部へ流入して、ストレート吐出するようになる。
【００９０】
また、ストレート吐出している場合に、切換レバー１４を反対方向へ操作して、軸部２６ｂを中心に逆回りに弁体２６ａを回動すると、弁体２６ａがストレート吐出口１２ｂの入口部に入り、原水が集合通過部２５からストレート吐出口１２ｂの入口部へ流入することを阻止して、シャワー吐出口１２ａ側へ流路を変更し、シャワー側空間２１４に流出してシャワー吐出するようになる。
【００９１】
このような第２実施例では、遮断弁１７を経由してから水質浄化用カートリッジ１５に至る流路を有するシャワーヘッドを形成でき、流路切換弁の各遮断弁１６，１７を水質浄化用カートリッジ１５の上流側に設けることができるようになるため、第１実施例と第２実施例とにより、流路切換弁は水質浄化用カートリッジ１５の上流側と下流側のどちらにでも設けることができるようになる。
【００９２】
これらは共に、頭部１２に設けられた押しボタン１３の操作によって、各流路切換弁１６，１７の開閉が交互に切り換えられ、浄化された混合水か原水かのいずれであっても容易に選択することができ、さらに、原水の場合はストレート吐出とシャワー吐出とを容易に選択することができる。
なお、流路切換弁への流入路を変更して、遮断弁１６側を浄水側とし、遮断弁１７を原水側とすれば、浄水側にシャワー吐出とストレート吐出との切換可能な流路を構成できる。
【００９３】
〔第３実施例〕
〔構成〕
第１実施例の浄水機能付きシャワーヘッド１０は混合水が浄化後に流路切換弁の浄化側の遮断弁を経由してシャワー吐出口形成領域内からストレート吐出するように構成したが、この第３実施例の浄水機能付きシャワーヘッド３００では、図４６，４７に示すように、浄化後の混合水がシャワー吐出口形成領域の外部からストレート吐出するように構成している点が異なる。
以下の説明では、流路の構成に係る部材以外の個々の部材については第１実施例と同じ構成にして、頭部に設けた押しボタンによって浄水と原水とを切り換え、切換レバーによってシャワー吐出とストレート吐出とを切り換えるシャワーヘッドを形成するため、第１実施例における部材と同じ構成の部材については同じ番号または数字の下２桁を合わせるように付して説明を省略する。
【００９４】
この浄水機能付きシャワーヘッド３００は、図４６〜４７に示すように、頭部１２に押しボタン１３と切換レバー１４とを突出し、このうち、押しボタン１３は、原水流路と浄水流路とを各別に接続する遮断弁１６と遮断弁１７に連結し、これらの遮断弁１６，１７を流路切換弁（水質切換弁）として同時に操作できるようにしている。
【００９５】
この流路切換弁の下流側には、原水側では、図４７，５０に示すように、遮断弁１６の下流側に弁下流側空間１８を設け、その弁下流側空間１８の底面の中央部にシャワー吐出口１２ａとストレート吐出口１２ｂとのそれぞれの入口部に流出する集合通過部２５を設け、この集合通過部２５から僅かに隙間をあけた直近の下流にはストレート吐出口１２ｂの筒状に形成された入口部を形成し、集合通過部２５とストレート吐出口１２ｂの入口部との間の隙間に吐出切換弁２６の弁体２６ａを配置し、ストレート吐出口１２ｂの外周側にシャワー吐出口１２ａを配置する。
【００９６】
浄水側では、図４８〜４９，５１，５２に示すように、遮断弁１７の下流側に浄水吐出口３１９への専用の弁下流側流路２０，３２０を形成して浄水と原水との流路を分離する。そして、浄水吐出口３１９はシャワー吐出口形成範囲の外部で、ストレート吐出口１２ｂを中心として吐出切換弁２６の回転軸設置位置から 180度振った位置（正反対の位置）の把持部１１側に突設し、浄水吐出口３１９から吐出させた場合には、把持部１１の頭部１２に近接した位置から吐出して、原水のストレート吐出よりも位置が奥に位置しているため容易に浄化された混合水であることを区別できるようになる。
【００９７】
流路切換弁下流側に形成される流路は、図４６〜５２に示すように、把持部１１の筒部１１ａを突出した頭部１２、および頭部１２に組み込まれる仕切部材３１２、（第２の）仕切部材３１３、浄水吐出口３１９への弁下流側流路２０の一部を形成する浄水導管６５、シャワー吐出口１２ａおよびストレート吐出口１２ｂを形成するシャワープレート３１６ならびにシャワープレート抑え１２ｆによって形成される。
【００９８】
このうち、頭部１２は、図５３〜５６に示すように、把持部側には把持部１１の筒部１１ａを突出し、その突出した筒部１１ａの内側にカートリッジ受け１１ｅを突出し、吐出側には流路切換弁等を収容する頂部が曲面に形成され主要部が円筒状に形成された頭部外皮１２ｇに、円筒中心に対して筒部１１ａの反対側の位置に押しボタン１３が貫通する孔１２ｈを穿設し、頭部外皮１２ｇの頂部曲面の裏側には孔１２ｈに接する位置から流路切換弁の弁入口側の隔壁１２ｊまでに至る直線状に形成した複数のリブ１２ｉ，１２ｉを突設し、流路切換弁の弁箱の上部を形成する隔壁１２ｊの中央部には原水と浄水とを区分する隔壁１２ｋを立設し、隔壁１２ｊと隔壁１２ｋとにより形成された弁内空間５６，５７には頂部曲面の裏側に弁体支持部材１６ｃ，１７ｃの上面を当接して移動時の案内部材として機能する複数本のリブ１２ｌ，…，１２ｌを突設する。
【００９９】
頭部１２から突出した筒部１１ａの根元には、浄水吐出口３１９をシャワー吐出口１２ａおよびストレート吐出口１２ｂと同じ方向に向けて開口し、浄水吐出口３１９には頭部１２に形成された仕切部材３１２，３１３を収容する空間の内周面の把持部１１側に位置する所定箇所から浄水吐出口３１９までの浄水流路３１９ａを穿設する。
【０１００】
（第１の）仕切部材３１２は、図５７，５８に示すように、頭部１２の吐出側と切換弁組込側との境界を規定する形状を有する仕切り５５を形成し、この仕切り５５の上部に各流路切換弁の入口側流路と接続する原水側弁内空間５６、浄水側弁内空間５７を形成し、仕切り５５の下側には弁下流側空間１８を形成する。また、仕切り５５の各弁内空間５６，５７を形成する位置には略中央部に弁座１６ａ，１７ａを形成する部材を嵌合する嵌合孔５８，５９を穿設する。この嵌合孔５８と嵌合孔５９とは、弁座１６ａと弁座１７ａとが押しボタン１３の押込み量によっていずれか一方の弁が閉じられるように、押し込み方向にずらして穿設する。
【０１０１】
（第２の）仕切部材３１３は、図５９に示すように、上側の外周端部に低い筒状に形成した流路形成部材３１３ａと下側の外周縁に環状部材６４を設けた円盤状の部材に形成し、円盤部の中央部に弁下流側空間１８からシャワー側空間３１４またはストレート吐出口１２ｂへ移行するための集合通過部２５を嵌合する嵌合孔６１を穿設し、嵌合孔６１の外周側に浄水導管６５の下流側の端部を挿入する筒状に形成した浄水導管３１３ｂをその側面の一部が流路形成部材３１３ａと一体化するように立設し、その浄水導管３１３ｂと流路形成部材３１３ａとの一体化した箇所には浄水導管３１３ｂの内部である弁下流側流路２０から流路形成部材３１３ａの外周側に形成される浄水流路３２０へ抜け出るための開口３１３ｃを設ける。下側の外周縁に形成された環状部材６４には外周面に雄ねじ６４ａを形成してシャワープレート抑え１２ｆを螺合できるようにする（図４９，５１参照）。
【０１０２】
シャワープレート３１６は、図６０に示すように、シャワー吐出口１２ａとストレート吐出口１２ｂとを形成した一枚の円盤状の部材である。シャワープレート３１６には中央部にストレート吐出口１２ｂとなる孔を穿設し、このストレート吐出口１２ｂに隣接して吐出切換弁２６の軸２６ｂを貫通させて軸支する軸孔６６を穿設する。そして、シャワープレート３１６の面におけるストレート吐出口１２ｂと軸孔６６とによって占められる箇所の残りの面には、シャワー吐出口１２ａとなる小孔を多数個につき穿設する。
【０１０３】
〔作用効果〕
このように構成した第３実施例においては、頭部１２に組み込まれている押しボタン１３を操作することにより、押しボタン１３が頭部１２より突き出ている状態（浅い押込量）では浄化された混合水が浄水吐出口３１９から流出し、押しボタン１３が頭部１２に入り込んで突き出ている量が少なくなっている状態（深い押込量）では、切換レバー１４を操作して吐出切換弁２６をシャワー吐出かストレート吐出かを選択することによって、原水がシャワー吐出口１２ａまたはストレート吐出口１２ｂから流出する。
【０１０４】
まず、押しボタン１３が浅い押込量で、原水側の遮断弁１６が閉じ、浄水側の遮断弁１７が開いており浄化された混合水が流出している時、押しボタン１３を深い押込量になるように押し込むと、遮断弁１６が開き、遮断弁１７が閉じて、原水の吐出に切り換わる。この状態から再度押しボタン１３を押して、押しボタン１３を浅い押込量に変えると、遮断弁１６が閉じ、遮断弁１７が開いて、浄水の吐出に切り換わる。
【０１０５】
浄水の吐出時は、遮断弁１７の弁座１７ａを通過して浄水導管６５および仕切部材３１３の流路形成部材３１３ａにより形成される弁下流側流路２０へ流出し、開口３１３ｃを介して原水側の弁下流側空間１８の外周に沿って形成された浄水側の弁下流側流路３２０に流出し、この弁下流側流路３２０から浄水流路３１９ａを介して頭部１２から突出した筒部１１ａに突設された浄水吐出口３１９から吐出する。
【０１０６】
また、原水の吐出時には、第１実施例の場合と同様に、遮断弁１６の弁座１６ａを通過して弁下流側空間１８に流出し、この弁下流側空間１８から集合通過部２５を介して切換レバー１４により選定されたシャワー吐出またはストレート吐出をする。
【０１０７】
この場合において、シャワー吐出している場合に、押しボタン１３の操作とは独立に、切換レバー１４を操作して軸部２６ｂを中心に弁体２６ａを回動すると、弁体２６ａがストレート吐出口１２ｂの入口部から外れ、集合通過部２５から流出する原水がストレート吐出口１２ｂの入口部へ流入し、ストレート吐出するようになる。
【０１０８】
さらに、ストレート吐出している場合に、切換レバー１４を反対方向へ操作して、軸部２６ｂを中心に逆回りに弁体２６ａを回動すると、弁体２６ａがストレート吐出口１２ｂの入口部に入り、集合通過部２５から流出する原水をストレート吐出口１２ｂの入口部へ流入することを阻止して、シャワー側空間３１４に流路を変更し、シャワー側空間３１４からシャワー吐出口１２ａを介してシャワー吐出するようになる。
【０１０９】
このような第３実施例では、浄水吐出口３１９が把持部１１の筒部１１ａに設けられているため、浄水吐出と原水吐出との区別が容易にでき、また、浄水吐出では吐出切換を行うことなく吐出できて操作性を向上させたことによって、識別性、視認性および操作性が向上する。
【０１１０】
さらに、流路切換弁の原水用の遮断弁１６と浄水用の遮断弁１７とが同じ押しボタン１３によって交互に流路を遮断する交互切換式遮断弁となっているため、頭部１２に突出した押しボタン１３を押すことにより、浄水と原水とを切り換えて使用することができ、操作性を一層向上させることができる。
【０１１１】
また、交互切換式遮断弁の原水用の遮断弁１６と浄水用の遮断弁１７とがそれぞれ球状弁体１６ｂ，１７ｂであるため、弁閉時には、球状弁体１６ｂ，１７ｂに加えられる水圧が、コイルスプリング１６ｄ，１７ｄの付勢力とともに、球状弁体１６ｂ，１７ｂを弁座１６ａ，１７ａに押し付けるように作用して、確実にシールすることができる。
【０１１２】
吐出切換弁２６が、流路切換弁のうち原水側の遮断弁１６の下流側に設けられた流路中に、レバー操作の遮断弁が形成されているため、原水側の遮断弁１６が開いた場合に、シャワー吐出とストレート吐出とのどちらかを選択でき、原水の使用に関して高い利便性を与えることができる。
なお、流路切換弁への流入路を変更して、遮断弁１６を浄水側とし、遮断弁１７を原水側とすると、浄水側をシャワー吐出とストレート吐出との切換可能な構成に形成できる。
【０１１３】
〔第４実施例〕
〔構成〕
第２実施例の浄水機能付きシャワーヘッド２００は、混合水が流路切換弁の浄水側の遮断弁を通過した後に水質浄化用カートリッジの水質浄化材を透過して水質浄化され、シャワー吐出口形成領域内からストレート吐出するように流路を構成したが、この第４実施例の浄水機能付きシャワーヘッド４００では、図６１，６２に示すように、浄水側の遮断弁を通過した後に水質浄化し、浄化後の吐出をシャワー吐出口形成領域の外部からストレート吐出するように構成している点が異なる。
以下の説明では、流路の構成に係る部材以外の個々の部材については第２実施例と同じ構成にして頭部に設けた押しボタンによって浄水と原水とを切り換えるシャワーヘッドを形成するため、第２実施例における部材と同じ構成の部材については同じ番号または数字の下２桁を合わせるように付して説明を省略する。
【０１１４】
頭部１２側から突出している筒部１１ａの内側に、所定の流路幅をあけて同心的に筒部１１ａよりも長い内筒部４０１を形成し、そして、内筒部４０１の内側には、カートリッジ受け４１１を先端部に形成して水質浄化用カートリッジ１５をその頭部側の端部を内嵌して取り付けられるようにする。
【０１１５】
内筒部４０１の長さは、カートリッジ受け４１１に取り付けられた水質浄化用カートリッジ１５の上流側の端部に達するまでの長さを有し、水質浄化用カートリッジ１５がカートリッジ受け４１１に装着されたときに内筒部４０１の先端と水質浄化用カートリッジ１５の上流側の端部が当接して密閉できるように形成して、カートリッジ装着時には内筒部４０１の外側に原水流路４０２、内筒部４０１の内側にカートリッジ外周流路４０３を形成できるようにする。
この場合に用いられる水質浄化用カートリッジ１５は、第２実施例の場合と同様のものとする。
【０１１６】
そして、頭部１２側では、遮断弁１６，１７の上流に共通の弁内空間４１０を設け、遮断弁１６の下流側には原水吐出側の流路となる弁下流側空間１８を形成するとともに、遮断弁１７の下流側には弁下流側空間１８と隔離された把持部１１側へ接続される流路４０４を形成し、遮断弁１７の下流側の流路４０４とカートリッジ外周流路４０３との間に開口形状が略矩形の開口４０４ａを設け、この開口４０４ａの外方が把持部１１側に形成された内筒部４０１のカートリッジ外周流路４０３の頭部側に位置する端部となり、これにより遮断弁下流側に位置するカートリッジ上流側の流路が形成される。
【０１１７】
カートリッジ受け４１１の内面側に形成された浄水流路４１９ａは、シャワー吐出口形成範囲の外部であって、ストレート吐出口１２ｂを中心として吐出切換弁２６の回転軸設置位置から 180度振った位置（軸対称位置）の把持部１１側に突設した浄水吐出口４１９に至り、水質浄化用カートリッジ１５を通過して浄化された混合水のカートリッジ下流側における専用流路を形成する。
【０１１８】
このため、水質浄化用カートリッジ１５を内筒部４０１に挿通し、先端のキャップ１５ｇをカートリッジ受け４１１に内嵌し、キャップ１５ｐのキャップ端部が内筒部４０１の先端に当接して位置固定すると、内筒部４０１と水質浄化用カートリッジ１５との間に形成される間隙によって、遮断弁１７の下流側に原水流路としてのカートリッジ外周流路４０３が形成されるから、把持部１１のホース接続部１１ｆから原水が流入すると、内筒部４０１の外周側に形成された原水流路４０２を通過して遮断弁１６，１７の上流に設けられた共通の弁内空間４１０に流入し、そして流路切換弁の遮断弁１７を通過した後の原水流路であるカートリッジ外周流路４０３に流入して、原水がカートリッジ外周流路４０３から水質浄化用カートリッジ１５を通過して中央空間部２２に流出するまでの間に浄化され、浄化された混合水がカートリッジ下流側の専用流路である浄水流路４１９ａを通過してシャワー吐出口形成範囲の外部に設けられた浄水吐出口４１９から吐出するようになる。
【０１１９】
このような流路切換弁の下流側に水質浄化用カートリッジを配置した浄水機能付きシャワーヘッドでは、図６３〜６６に示すように、頭部１２に組み込まれた流路切換弁の遮断弁１６，１７の弁座１６ａ，１７ａを配置するとともに流路切換弁前後の流路を仕切るための（第１の）仕切部材４１２と、弁座１６ａを支持するとともに浄水流路４０４と弁下流側空間１８との間を仕切る（第２の）仕切部材４１３と、原水側の遮断弁１６の下流側の流路である弁下流側空間１８と弁下流側空間１８から流入してシャワープレート４１６から吐出するための入口部となるシャワー側空間４１４との間を仕切る（第３の）仕切部材４１５とを配設して、流路切換弁下流側における水質浄化用カートリッジ前後の頭部側流路を形成する。
【０１２０】
このうち、把持部１１の筒部１１ａを一体的に組み合わせた頭部１２では、図６８〜７１に示すように、頭部１２側から突出している筒部１１ａの内側に、所定の流路幅をあけて同心的に筒部１１ａよりも長い内筒部４０１を形成し、その内筒部４０１の内側には、カートリッジ受け４１１を先端部に形成して水質浄化用カートリッジ１５をその頭部側の端部を内嵌して取り付けられるようにするとともに、カートリッジ受け４１１の内面側に浄水流路４１９ａを形成し、この浄水流路４１９ａをシャワー吐出口形成範囲の外部で、把持部１１の筒部１１ａの頭部１２に近接した位置（根元部）にシャワー吐出面側に開口した浄水吐出口４１９に至るまで穿設し、水質浄化用カートリッジ１５を通過して浄化された混合水のカートリッジ下流側における浄水専用流路を形成する。
【０１２１】
そして、頭部１２は、流路切換弁等を収容する空間を有し、頂部が曲面に形成されるとともに主要部が略円筒状に形成された頭部外皮１２ｇに、円筒中心に対して筒部１１ａの反対側の位置に押しボタン１３が貫通する孔１２ｈを穿設し、頭部外皮１２ｇの頂部曲面の裏側には孔１２ｈに接する位置から流路切換弁の弁入口側の隔壁１２ｊまでに至る直線状に形成した複数のリブ１２ｉ，１２ｉを突設し、流路切換弁の弁箱の上部を形成する隔壁１２ｊにより形成された弁内空間４１０には頂部曲面の裏側に弁体支持部材１６ｃ，１７ｃの上面を当接して移動時の案内部材として機能する複数本のリブ１２ｌ，…，１２ｌを突設する。
【０１２２】
（第１の）仕切部材４１２は、図７２，７３に示すように、頭部１２に組み込まれた流路切換弁の１６，１７の両弁座１６ａ，１７ａを取り付けるとともに流路切換弁前後の流路を仕切る板材４１２ａと、この板材４１２ａの上面外周に立設して弁内空間４１０の略下半分の高さを占める隔壁を形成する枠体（弁ケース形成枠）４１２ｂと、板材４１２ａの下面外周には流路４０４を形成する隔壁を下方に立設する枠体（流路枠）４１２ｃとを形成する。
【０１２３】
そして、板材４１２ａの弁座１６ａ，１７ａを形成する位置には弁座１６ａ，１７ａを形成する部材を嵌合する嵌合孔４１２ｄ，４１２ｅを穿設する。各嵌合孔４１２ｄ，４１２ｅは、弁座１６ａと弁座１７ａとが押しボタン１３の押込み量によっていずれか一方の弁が閉じられるように、押し込み方向にずらして穿設する。その嵌合孔穿設位置の下側には弁座抑え６０または（第２の）仕切部材４１３に設けられた弁座抑え４１３ｃ（図７４参照）を嵌合するリング状嵌合部４１２ｆ，４１２ｇを垂下する。
【０１２４】
（第２の）仕切部材４１３は、図７４に示すように、円盤状に形成された板材４１３ａに、一面側には上面側に弁座１６ａまたは１７ａの下面に合わせた形状に形成した弁座抑え４１３ｃを突設し、その弁座抑え４１３ｃの中央部に必要な孔４１３ｂを穿設する。
【０１２５】
（第３の）仕切部材４１５は、図７５に示すように、外周縁に短い円筒状の環状部材４１５ｂ，６４を突設した円盤状の部材に形成し、円盤部４１５ａの中央部に弁下流側空間１８からシャワー側空間４１４あるいはストレート吐出口１２ｂの入口部へ流出するための集合通過部２５を嵌合する嵌合孔６１を穿設する。また、外周縁の下側の環状部材６４には外周面に雄ねじ６４ａを形成してシャワープレート抑え１２ｆを螺合できるようにする（図６４，６７参照）。
【０１２６】
シャワープレート４１６は、図７６に示すように、円盤状の板材４１６ａの中央部に略円筒状のストレート吐出口１２ｂを形成し、ストレート吐出口１２ｂに隣接した外周寄りの位置に吐出切換弁２６の軸２６ｂを貫通させる軸孔４１６ｂを穿設し、これらが占める領域を除いた板材４１６ａにはシャワー吐出口１２ａとなる小孔を多数個につき穿設する。
【０１２７】
〔作用効果〕
このような構成により、ホース接続部１１ｆから原水が流入すると、内筒部４０１の外周側に形成された原水流路４０２を通過して遮断弁１６，１７の上流に設けられた共通の弁内空間４１０に流入し、押しボタン１３の位置が浅い押込量の位置か深い押込量の位置かに従い遮断弁１６，１７のいずれか一方が開放状態となり、原水吐出か浄水吐出かに分かれる。
【０１２８】
浄水吐出の場合には、押しボタン１３の位置が浅い押込量の位置で、混合水は遮断弁１７の弁座１７ａを通過して下流側の流路４０４から開口４０４ａを介してカートリッジ外周流路４０３に流入し、水質浄化用カートリッジ１５の水質浄化材１５ａを透過して中央空間部２２に流出し、この中央空間部２２からフィルタ１５ｂと殺菌セラミック１５ｄとフィルタ１５ｃとを透過し、さらにカートリッジ受け３１１内の浄水流路４１９ａを介して筒部１１ａの頭部１２に近接した根元部に突設された浄水吐出口４１９から吐出する。
【０１２９】
また、原水の吐出時には、押しボタン１３の位置が深い押込量の位置で、混合水は遮断弁１６の弁座１６ａを通過して弁下流側空間１８に流出し、この弁下流側空間１８から集合通過部２５を介して吐出切換弁２６が選択しているシャワー吐出口１２ａまたはストレート吐出口１２ｂから原水のまま吐出する。
【０１３０】
原水吐出時では、シャワー吐出している場合に、押しボタン１３の操作とは独立に、切換レバー１４を操作して軸部２６ｂを中心に弁体２６ａを回動すると、弁体２６ａがストレート吐出口１２ｂの入口部から外れ、集合通過部２５からでる原水がストレート吐出口１２ｂの入口部へ流入し、ストレート吐出するようになる。
【０１３１】
また、ストレート吐出している場合に、切換レバー１４を反対方向へ操作して、軸部２６ｂを中心に逆回りに弁体２６ａを回動すると、弁体２６ａがストレート吐出口１２ｂの入口部に入り、集合通過部２５からでる原水がストレート吐出口１２ｂの入口部へ流入することを阻止して、シャワー吐出口１２ａ側へ流路を変更し、シャワー側空間４１４に流出し、シャワー吐出口１２ａからシャワー吐出するようになる。
【０１３２】
このような第４実施例では、遮断弁１７を経由してから水質浄化用カートリッジ１５に至る流路を有するシャワーヘッドを形成でき、流路切換弁の各遮断弁１６，１７を水質浄化用カートリッジ１５の上流側に設けることができるようになるため、第３実施例と第４実施例とにより、流路切換弁が水質浄化用カートリッジ１５の上流側と下流側のどちらにでも設けることができるようになる。
【０１３３】
これらは共に、頭部１２に設けられた押しボタン１３の操作によって、各遮断弁１６，１７の開閉が交互に切り換えられ、浄化された混合水か原水かのいずれかであっても容易に選択することができ、さらに原水の場合ではストレート吐出とシャワー吐出とを選択することができる。
なお、流路切換弁への流入路を変更して、遮断弁１６を浄水側とし、遮断弁１７を原水側とすると、浄水側をシャワー吐出とストレート吐出との切換可能な構成に形成できる。
【０１３４】
〔第５実施例〕
〔構成〕
第１，３実施例の浄水機能付きシャワーヘッド１０，３００は流路切換弁と原水用の吐出切換弁とを備えているが、この第５実施例の浄水機能付きシャワーヘッド５００では、図７７〜７９に示すように、流路切換弁のみ備え、吐出には浄水側と原水側とで専用の吐出口を備えるように構成している点が異なる。
以下の説明では、流路の構成に係る部材以外の個々の部材については第１実施例と同じ構成にして、頭部１２に設けた押しボタン１３によって浄水と原水とを切り換えるシャワーヘッドを形成するため、第１〜４実施例における部材と同じ構成の部材については同じ番号または数字の下２桁を合わせるように付して説明を省略する。
【０１３５】
この浄水機能付きシャワーヘッド５００は、図７８，７９に示すように、頭部１２に押しボタン１３を突出し、内部に原水流路と浄水流路とを各別に接続する遮断弁１６と遮断弁１７とを内蔵し、押しボタン１３により遮断弁１６，１７を流路切換弁（水質切換弁）として同時に操作できるようにしている。
【０１３６】
流路切換弁の下流側には、原水側では、図７９，８２に示すように、遮断弁１６の下流側に弁下流側空間１８を設け、その弁下流側空間１８の底面側に複数の貫通孔５１３ｂ，…，５１３ｂを設けてシャワー側空間５１４に流出できるようにし、シャワー側空間５１４の底面側にシャワー吐出口１２ａを設けてシャワー吐出できるようにし、そして、浄水側では、図８１，８３に示すように、遮断弁１７の下流側に弁下流側流路５２０を遮断弁１７の真下からストレート吐出口１２ｂへの入口部を形成する集合通過部２５の真上まで形成し、集合通過部２５の配置位置の下方には浄水流路５１９をストレート吐出口１２ｂに達するまで垂直に垂下する。
【０１３７】
流路切換弁下流側における各々別個に形成される原水側の流路と浄水側の流路とは、図８０〜８３に示すように、把持部１１の筒部１１ａを突出した頭部１２、および頭部１２に組み込まれる各遮断弁の一部を形成する（第１の）仕切部材５１２、浄水流路と原水流路の仕切りを形成する（第２の）仕切部材５１３、浄水吐出口１２ｂへの弁下流側流路５２０の一部を形成する浄水導管５６５、シャワー吐出口１２ａおよびストレート吐出口１２ｂを形成するシャワープレート５１６によって形成される。
【０１３８】
このうち、頭部１２は、図８４〜８５に示すように、把持部側には把持部１１の筒部１１ａを突出し、その突出した筒部１１ａの内側にカートリッジ受け１１ｅを突出し、吐出側には流路切換弁等を収容する頂部が曲面に形成され主要部が円筒状に形成された頭部外皮１２ｇに、円筒中心に対して筒部１１ａの反対側の位置に押しボタン１３が貫通する孔１２ｈを穿設し、頭部外皮１２ｇの頂部曲面の裏側には孔１２ｈに接する位置から流路切換弁の弁入口側の隔壁１２ｊまでに至る直線状に形成した複数のリブ１２ｉ，１２ｉを突設し、流路切換弁の弁箱の上部を形成する隔壁１２ｊの中央部には原水と浄水とを区分する隔壁１２ｋを立設し、隔壁１２ｊと隔壁１２ｋとにより形成された弁内空間５５６，５５７には頂部曲面の裏側に弁体支持部材１６ｃ，１７ｃの上面を当接して移動時の案内部材として機能する複数本のリブ１２ｌ，…，１２ｌを突設する。
【０１３９】
（第１の）仕切部材５１２は、図８６，８７に示すように、頭部１２の吐出側と切換弁組込側との境界を規定する形状を有する仕切り５５を形成し、この仕切り５５の上部に各流路切換弁の入口側流路と接続する原水側弁内空間５５６、浄水側弁内空間５５７を形成し、仕切り５５の下側には弁下流側空間１８を形成する。また、仕切り５５の各弁内空間５５６，５５７を形成する位置には略中央部に弁座１６ａ，１７ａを形成する部材を嵌合する嵌合孔５８，５９を穿設する。この嵌合孔５８と嵌合孔５９とは、押しボタン１３の押込みによって移動する弁体１６ｂ，１７ｂのいずれか一方が弁座１６ａと弁座１７ａに嵌め込まれて遮断弁１６または１７が閉じられるように、押し込み方向にずらして穿設する。
【０１４０】
弁下流側流路５２０の一部を形成する浄水導管５６５は、図８８に示すように、上端には弁座１７ａの背面側の形状に合わせた上端部５６５ａを形成して、弁体当接面を上方に向けた弁座１７ａを取り付けることができるようにし、下端には仕切部材５１３に形成された円筒状の上端部５６１に内嵌できる径に形成された厚肉円筒状の下端部５６５ｂを形成し、この下端部５６５ｂの外周にはＯリング溝５６５ｃを刻設して、Ｏリング溝５６５ｃにＯリング（図示せず）をはめ込んで仕切部材５１３に設けられた円筒状の導水管の上端部５６１に嵌合した場合にＯリングによって漏止めできるようにしている。
【０１４１】
上端部５６５ａと下端部５６５ｂとの間は、ほぼ水平方向に向けて延設された断面矩形状の流路５６５ｄによって連通し、この流路５６５ｄの流路長さは浄水側の流路切換弁１７の弁座１７ａの中心位置から仕切部材５１３に設けられた円筒状の上端部５６１の中心位置までの直線距離に等しくして、上端部５６５ａを仕切り部材５１２の浄水側の嵌合孔５９にはめ込んだ後、この嵌合孔５９の中心を回動中心として浄水導管５６５を回動させて、仕切部材５１３に設けられた円筒状の上端部５６１の位置まで下端部５６５ｂを移動して位置合わせをすることにより、仕切部材５１３側の所定位置に嵌め合わせることができるようにする。
【０１４２】
（第２の）仕切部材５１３は、図８９に示すように、円盤部５１３ａの外周縁に短い円筒状の環状部材５１３ｃ，５１３ｄを突設した円盤状の部材に形成し、円盤部５１３ａの中央部に浄水導管５６５からストレート吐出口１２ｂへ流出するための集合通過部２５を嵌合する嵌合孔６１を穿設する。さらに、上面側に位置する円筒状の導水管の上端部５６１と下面側に位置する円筒状の導水管５６２とが位置する中央部の外周側に同一円周上に等ピッチで８個の貫通孔５１３ｂを穿設して原水を弁下流側空間１８からシャワー側空間５１４へ流出できるようにする。また、外周縁の下側の環状部材５１３ｄには外周面に雄ねじ５１３ｅを形成して後述のシャワープレート５１６を螺合できるようにするとともに、この環状部材５１３ｄの根元部の外周側にはＯリング溝５１３ｆを刻設する。
【０１４３】
シャワープレート５１６は、図９０に示すように、シャワー吐出口１２ａとストレート吐出口１２ｂとを形成した円盤状の部材で、中央部にストレート吐出口１２ｂとなる孔を穿設し、吐出面におけるストレート吐出口１２ｂによって占められる箇所の残りの面には、シャワー吐出口１２ａとなる小孔を多数個につき穿設し、そして、円盤状の部材の周縁部には上方に湾曲して突出した張出部５１６ａを設け、その内周面側に雌ねじ５１６ｂを形成して、仕切部材５１３に設けた雄ねじ５１３ｅに螺合できるようにし、張出部５１６ａの上端部の内側には拡径した段差部１５６ｄを設けてＯリング溝の代わりとし、（第２の）仕切部材５１３に設けたＯリング（図示せず）を外側から押圧して（第２の）仕切部材５１３との螺合時に漏止めができるようにする（図８１〜８３参照）。
【０１４４】
〔作用効果〕
このように構成した第５実施例においては、頭部１２に組み込まれている押しボタン１３を操作することにより、押しボタン１３が頭部１２より突き出ている状態（浅い押込量）では浄化された混合水が浄水吐出口１２ｂから流出し、押しボタン１３が頭部１２に入り込んで突き出ている量が少なくなっている状態（深い押込量）では、原水がシャワー吐出口１２ａから流出する。
【０１４５】
まず、押しボタン１３が浅い押込量で、原水側の遮断弁１６が閉じ、浄水側の遮断弁１７が開いており、浄化された混合水が流出している時、押しボタン１３を深い押込量になるように押し込むと、遮断弁１６が開き、遮断弁１７が閉じて、原水の吐出に切り換わる。この状態から再度押しボタン１３を押して、押しボタン１３を浅い押込量に変えると、遮断弁１６が閉じ、遮断弁１７が開いて、浄水の吐出に切り換わる。
【０１４６】
浄水の吐出時は、浄化された混合水は遮断弁１７の弁座１７ａを通過して浄水導管５６５により形成される弁下流側流路５２０へ流出し、集合通過部２５を介して導水管５６２が形成する浄水流路５１９に流出し、この浄水流路５１９を通過して浄水吐出口１２ｂから吐出する。
【０１４７】
また、原水の吐出時には、図９１〜９３に示すように、遮断弁１７が閉じ、遮断弁１６が開いて、混合水は遮断弁１６の弁座１６ａを通過して弁下流側空間１８に流出し、この弁下流側空間１８から貫通孔５１３ｂを介してシャワー側空間５１４に流出し、このシャワー側空間５１４よりシャワープレート５１６に形成されたシャワー吐出口１２ａからシャワー吐出する。
【０１４８】
このような第５実施例では、浄水吐出口１２ｂがストレート吐出口を形成し、原水吐出口１２ｂがシャワー吐出口を形成しているため、浄水吐出と原水吐出との区別が容易にでき、また、浄水吐出では吐出切換を行うことなく吐出できて操作性を向上させたことによって、識別性、視認性および操作性が向上する。
【０１４９】
さらに、流路切換弁の原水用の遮断弁１６と浄水用の遮断弁１７とが同じ押しボタン１３によって交互に流路を遮断する交互切換式遮断弁となっており、かつ、原水・浄水吐出での押しボタン１３の押込位置を異ならせているため、頭部１２に突出した押しボタン１３を押すことにより、浄水と原水とが混同することなく利用でき、操作性を一層向上させることができる。
【０１５０】
また、交互切換式遮断弁の原水用の遮断弁１６と浄水用の遮断弁１７とがそれぞれ球状弁体１６ｂ，１７ｂであるため、弁閉時には、球状弁体１６ｂ，１７ｂに加えられる水圧が、コイルスプリング１６ｄ，１７ｄの付勢力とともに、球状弁体１６ｂ，１７ｂを弁座１６ａ，１７ａに押し付けるように作用して、確実にシールすることができる。
【０１５１】
〔第６実施例〕
〔構成〕
第２，４実施例の浄水機能付きシャワーヘッド２００，４００は、流路切換弁と原水用の吐出切換弁とを備えていたが、この第６実施例の浄水機能付きシャワーヘッド６００では、図９４，９５に示すように、流路切換弁のみ備え、流路切換弁の下流側では浄水側と原水側とに専用の流路と吐出口を備えるように構成している点が異なる。
以下の説明では、流路の構成に係る部材以外の個々の部材については第２実施例と同じ構成にして頭部１２に設けた押しボタン１３によって浄水と原水とを切り換えるシャワーヘッドを形成するため、第２〜５実施例における部材と同じ構成の部材については同じ番号または数字の下２桁を合わせるように付して説明を省略する。
【０１５２】
頭部１２側から突出している筒部１１ａの内側に、所定の流路幅をあけて同心的に筒部１１ａよりも長い内筒部６０１を形成し、そして、内筒部６０１の内側には、カートリッジ受け６１１を先端部に形成した突出部を設け、水質浄化用カートリッジ１５を、その頭部側に位置する端部を内嵌することにより取り付けられるようにする。
【０１５３】
内筒部６０１の長さは、カートリッジ受け６１１に取り付けられた水質浄化用カートリッジ１５の上流側の端部に達するまでの長さを有し、水質浄化用カートリッジ１５がカートリッジ受け６１１に装着されたときに内筒部６０１の先端と水質浄化用カートリッジ１５の上流側の端部が当接して密閉できるように形成して、カートリッジ装着時には内筒部６０１の外側に原水流路６０２、内筒部６０１の内側にカートリッジ外周流路６０３を形成できるようにする。
この場合に用いられる水質浄化用カートリッジ１５は、第２実施例の場合と同様のものとする。
【０１５４】
そして、頭部１２側では、遮断弁１６，１７の上流に共通の弁内空間６１０を設け、遮断弁１６の下流側には原水吐出側の流路となる弁下流側空間１８を形成するとともに、遮断弁１７の下流側には弁下流側空間１８と隔離された把持部１１側へ接続される流路６０４を形成し、遮断弁１７の下流側の流路６０４とカートリッジ外周流路６０３との間に開口形状が略矩形の開口６０３ａ，６０４ａを設け、この開口６０３ａ，６０４ａの外方が把持部１１側に形成された内筒部６０１のカートリッジ外周流路６０３の頭部側に位置する端部となり、これにより遮断弁下流に位置するカートリッジ上流側の流路が形成される。
【０１５５】
カートリッジ下流側の流路は、把持部１１側に設けられたカートリッジ受け６１１の内面側に形成された浄水流路６０６から、頭部側に設けられた浄水流路６０８を通過し集合通過部２５を介してストレート吐出口１２ｂに至り、水質浄化用カートリッジ１５により浄化された混合水の専用流路を形成する。
【０１５６】
このため、水質浄化用カートリッジ１５を内筒部６０１に挿通し、先端のキャップ１５ｇをカートリッジ受け６１１に内嵌し、キャップ１５ｐの端部が内筒部６０１の先端に当接して位置固定すると、内筒部６０１と水質浄化用カートリッジ１５との間に形成される間隙によって、遮断弁１７の下流側に原水流路としてのカートリッジ外周流路６０３が形成されるから、把持部１１のホース接続部１１ｆから原水が流入すると、内筒部６０１の外周側に形成された原水流路６０２を通過して遮断弁１６，１７の上流に設けられた共通の弁内空間６１０に流入し、そして流路切換弁の遮断弁１７を通過した後の原水流路であるカートリッジ外周流路６０３に流入して、原水がカートリッジ外周流路６０３から水質浄化用カートリッジ１５を通過して中央空間部２２に流出するまでの間に浄化され、浄化された混合水がカートリッジ下流側の専用流路である浄水流路６０８を通過し、集合通過部２５を介してストレート吐出口１２ｂから吐出するようになる。
【０１５７】
このような流路切換弁の下流側に水質浄化用カートリッジ１５を配置した浄水機能付きシャワーヘッドでは、図９６〜９９に示すように、頭部１２に組み込まれた流路切換弁の遮断弁１６，１７における弁座１６ａ，１７ａを配置するとともに流路切換弁前後の流路を仕切るための（第１の）仕切部材６１２と、弁座１６ａを支持するとともに浄水流路６０４と弁下流側空間１８との間を仕切る（第２の）仕切部材６１３と、原水側の遮断弁１６の下流側の流路である弁下流側空間１８と弁下流側空間１８から流入してシャワープレート５１６から吐出するための入口部となるシャワー側空間６１４との間を仕切る（第３の）仕切部材５１３とを配設して、流路切換弁下流側における水質浄化用カートリッジ前後の頭部側流路を形成する。
【０１５８】
このうち、把持部１１の筒部１１ａを一体的に組み合わせた頭部１２では、図１００，１０１に示すように、頭部１２側から突出している筒部１１ａの内側に、所定の流路幅をあけて同心的に筒部１１ａよりも長い内筒部６０１を形成し、その内筒部６０１の内側にはカートリッジ受け６１１を形成して水質浄化用カートリッジ１５をその頭部側の端部を内嵌して取り付けられるようにするとともに、内筒部６０１の内側から頭部１２の流路切換弁等を収容する内面側に貫通する開口６０３ａを穿設して流路切換弁下流側から水質浄化用カートリッジ上流側への流路を形成し、さらに、カートリッジ受け６１１の内面側には頭部１２の内面側にまで至る浄水流路６０６を形成して水質浄化用カートリッジ下流側における浄水専用流路を形成する。
【０１５９】
そして、頭部１２には、頂部が曲面に形成されるとともに主要部が略円筒状に形成された頭部外皮１２ｇにより流路切換弁１６，１７および各仕切部材６１２，６１３，５１３等を収容する空間を形成し、頭部１２の略円筒状に形成された主要部の中心に対して筒部１１ａの反対側の位置に押しボタン１３が貫通する孔１２ｈを穿設し、頭部外皮１２ｇの頂部曲面の裏側には孔１２ｈに接する位置から流路切換弁の弁入口側の隔壁１２ｊまでに至る直線状に形成した複数のリブ１２ｉ，１２ｉを突設し、流路切換弁の弁箱の上部を形成する隔壁１２ｊにより形成された弁内空間６１０には頂部曲面の裏側に弁体支持部材１６ｃ，１７ｃの上面を当接して移動時の案内部材として機能する複数本のリブ１２ｌ，…，１２ｌを突設する。
【０１６０】
（第１の）仕切部材６１２は、図１０２，１０３に示すように、頭部１２に組み込まれた流路切換弁の１６，１７の両弁座１６ａ，１７ａを取り付けるとともに流路切換弁前後の流路を仕切る板材６１２ａと、この板材６１２ａの上面外周に立設して弁内空間６１０の略下半分の高さを占める隔壁を形成する枠体（弁ケース形成枠）６１２ｂと、板材６１２ａの下面外周には流路６０４を形成する隔壁を下方に立設する枠体（流路枠）６１２ｃとを形成する。
【０１６１】
そして、板材６１２ａの弁座１６ａ，１７ａを形成する位置には弁座１６ａ，１７ａを形成する部材を嵌合する嵌合孔６１２ｄ，６１２ｅを穿設する。各嵌合孔６１２ｄ，６１２ｅは、弁座１６ａと弁座１７ａとが押しボタン１３の押込み量によっていずれか一方の弁が閉じられるように、押し込み方向にずらして穿設する。その嵌合孔穿設位置の下側には弁座抑え６０または（第２の）仕切部材６１３に設けられた弁座抑え６１３ｃ（図１０４参照）を嵌合するリング状嵌合部６１２ｆ，６１２ｇを垂下する。
【０１６２】
（第２の）仕切部材６１３は、図１０４に示すように、円盤状に形成された板材６１３ａに、一面側には上面側に弁座１６ａまたは１７ａの下面に合わせた形状に形成した弁座抑え６１３ｃを突設し、その弁座抑え６１３ｃの中央部に必要な孔６１３ｂを穿設する。そして、他面側には水質浄化カートリッジ下流側の浄水流路６０６と連通する浄水流路６０８を形成する断面が略矩形の筒状に形成された中空角筒部６１３ｄを面に沿って外周縁から中央部まで延設し、中央部に位置する端部には吐出側に設ける嵌合部に見合った径の円筒状端部６１３ｅを垂下し、その円筒状端部６１３ｅの先端部外周にＯリング溝６１３ｆを刻設して（第３の）仕切部材５１３側に形成されている嵌合部を有する接続端と接続可能に形成する。
【０１６３】
〔作用効果〕
このような構成により、ホース接続部１１ｆから原水が流入すると、内筒部６０１の外周側に形成された原水流路６０２を通過して遮断弁１６，１７の上流に設けられた共通の弁内空間６１０に流入し、押しボタン１３の位置が浅い押込量の位置か深い押込量の位置かに従い遮断弁１６，１７のいずれか一方が開放状態となり、原水吐出か浄水吐出かに分かれる。
【０１６４】
浄水吐出の場合には、押しボタン１３の位置が浅い押込量の位置で、混合水は遮断弁１７の弁座１７ａを通過して下流側の流路６０４から開口６０４ａを介してカートリッジ外周流路６０３に流入し、水質浄化用カートリッジ１５の水質浄化材１５ａを透過して中央空間部２２に流出し、この中央空間部２２からフィルタ１５ｂと殺菌セラミック１５ｄとフィルタ１５ｃとを透過し、さらにカートリッジ受け６１１内の浄水流路６０６および（第１の）仕切部材６１２の開口６０７を介して（第２の）仕切部材６１３に形成された浄水流路６０８に流出し、浄水流路６０８から集合通過部２５を介してストレート吐出口１２ｂから吐出する。
【０１６５】
また、原水の吐出時には、図１０５〜１０７に示すように、押しボタン１３の位置が深い押込量の位置で、混合水は遮断弁１６の弁座１６ａを通過して弁下流側空間１８に流出し、この弁下流側空間１８から（第３の）仕切部材５１３に穿設された貫通孔５１３ｂ，…，５１３ｂを介してシャワー側空間６１４に流入し、シャワー吐出口１２ａから原水のまま吐出する。
【０１６６】
このような第６実施例では、遮断弁１７を経由してから水質浄化用カートリッジ１５に至る流路を有するシャワーヘッドを形成でき、流路切換弁の各遮断弁１６，１７を水質浄化用カートリッジ１５の上流側に設けることができるようになるため、第５実施例と第６実施例とにより、流路切換弁が水質浄化用カートリッジ１５の上流側と下流側のどちらにでも設けることができるようになる。
これらは共に、頭部１２に設けられた押しボタン１３の操作によって、各遮断弁１６，１７の開閉が交互に切り換えられ、浄化された混合水か原水かのいずれかであっても容易に選択することができる。
【０１６７】
〔第７実施例〕
〔構成〕
第５実施例の浄水機能付きシャワーヘッド５００は流路切換弁と原水用および浄水用の各専用の吐出口を備えているが、この第７実施例の浄水機能付きシャワーヘッド７００では、図１０８〜１１０に示すように、原水用および浄水用の各吐出口は共用のシャワー吐出口とするように構成している点が異なる。
以下の説明では、流路の構成に係る部材以外の個々の部材については第５実施例と同じ構成にして、頭部１２に設けた押しボタン１３によって浄水と原水とを切り換えるシャワーヘッドを形成するため、第５実施例における部材と同じ構成の部材については同じ番号または数字の下２桁を合わせるように付して説明を省略する。
【０１６８】
この浄水機能付きシャワーヘッド７００は、図１０９，１１１に示すように、頭部１２に押しボタン１３を突出し、この押しボタン１３により同時に操作できるようにした流路切換弁（水質切換弁）としての２つの遮断弁１６，１７を内蔵している。そして、遮断弁１６と遮断弁１７には、原水流路と浄水流路とを各別に接続する。
【０１６９】
流路切換弁の下流側には、図１１２〜１１３に示すように、原水側では、遮断弁１６の下流側に弁下流側空間１８を設け、その弁下流側空間１８の底面側にはシャワー吐出口１２ａを設けてシャワー吐出できるようにし、そして、浄水側でも、遮断弁１７の下流側に弁下流側空間１８が位置して原水の流路と共用するように構成する。
【０１７０】
弁下流側空間１８は、頭部１２に組み込まれる各遮断弁の一部を形成する（第１の）仕切部材１２ｃ、この仕切部材１２ｃとシャワープレート７１６との間に挟持される略円筒状に形成された中間接続部材７１３、シャワー吐出口１２ａを形成するシャワープレート７１６によって形成される。
【０１７１】
中間接続部材７１３は、図１１４に示すように、略円筒状に形成された部材で、その略中央部に外周側に突出した鍔部７１３ａを設け、この鍔部７１３ａにより略円筒状に形成された部材が上下に分けられ、その上側の部材７１３ｂは外周が（第１の）仕切部材１２ｃの下端部に内嵌できるように外形を成形し、下側の部材７１３ｃは外周面にシャワープレート７１６を螺合するための雄ねじ７１３ｅを設け、下側の部材７１３ｃの上端部（鍔部７１３ａの真下）にＯリング溝７１３ｆを刻設する。
【０１７２】
シャワープレート７１６は、図１１５に示すように、円盤状の部材の周縁部には上方に湾曲して突出した張出部７１６ａを設け、その内周面側に雌ねじ７１６ｂを設けて、中間接続部材７１３に設けた雄ねじ７１３ｅに螺合できるようにし、張出部７１６ａの上端部の内側には浅い溝７１６ｄを刻設してＯリング溝とし、中間接続部材７１３に設けたＯリング（図示せず）を外側から押圧して中間接続部材７１３との螺合時に漏止めができるようにする。
【０１７３】
〔作用効果〕
このように構成した第７実施例においては、頭部１２に組み込まれている押しボタン１３を操作することにより、押しボタン１３が浅い押込量では浄化された混合水がシャワー吐出口１２ａから流出し、押しボタン１３が深い押込量では、原水がシャワー吐出口１２ａから流出する。
【０１７４】
そして、押しボタン１３が浅い押込量で、原水側の遮断弁１６が閉じ、浄水側の遮断弁１７が開いており、浄化された混合水が流出している時に、押しボタン１３を深い押込量になるように押し込むと、図１１６〜１１８に示すように、遮断弁１６が開き、遮断弁１７が閉じて、原水の吐出に切り換わる。この状態から再度押しボタン１３を押すと、押しボタン１３が浅い押込量に変わり、図１１１〜１１３に示すように、遮断弁１６が閉じ、遮断弁１７が開いて、浄水の吐出に切り換わる。
【０１７５】
浄水または原水の吐出において、混合水は遮断弁１６または１７の弁座１６ａまたは１７ａを通過して弁下流側空間１８に流出し、この弁下流側空間１８からシャワープレート７１６に形成されたシャワー吐出口１２ａから吐出する。
【０１７６】
このような第７実施例では、浄水と原水のどちらでもシャワー吐出する単純な構成となっており、構成が容易になるとともに操作が容易となり、取扱い易くなる。また、流路切換弁が、交互切換式遮断弁で原水用の遮断弁１６と浄水用の遮断弁１７とがそれぞれ球状弁体１６ｂ，１７ｂであるため、弁閉時には、球状弁体１６ｂ，１７ｂに加えられる水圧が、コイルスプリング１６ｄ，１７ｄの付勢力とともに、球状弁体１６ｂ，１７ｂを弁座１６ａ，１７ａに押し付けるように作用して、確実にシールすることができて、浄水と原水の切換が容易にできる。
【０１７７】
〔第８実施例〕
〔構成〕
第６実施例の浄水機能付きシャワーヘッド６００は、水質浄化用カートリッジの上流側に設けた流路切換弁と原水用および浄水用の各専用の吐出口を備えているが、この第８実施例の浄水機能付きシャワーヘッド８００では、図１１９，１２０に示すように、流路切換弁を水質浄化用カートリッジの上流側に設けるとともに、原水用および浄水用の各吐出口は共用のシャワー吐出口とするように構成している点が異なる。
以下の説明では、流路の構成に係る部材以外の個々の部材については第６実施例と同じ構成にして頭部１２に設けた押しボタン１３によって浄水と原水とを切り換えるシャワーヘッドを形成するため、第６実施例における部材と同じ構成の部材については同じ番号または数字の下２桁を合わせるように付して説明を省略する。
【０１７８】
図１１９〜１２３に示すように、頭部１２側から突出している筒部１１ａの内側に、所定の流路幅をあけて同心的に筒部１１ａよりも長い内筒部８０１を形成し、そして、内筒部８０１の内側には、カートリッジ受け８１１を先端部に形成した突出部を設け、水質浄化用カートリッジ１５を、その頭部側に位置する端部から内筒部８０１に挿入して内嵌することにより取り付けられるようにする。
【０１７９】
内筒部８０１の長さは、カートリッジ受け８１１に取り付けられた水質浄化用カートリッジ１５の上流側の端部に達するまでの長さを有し、水質浄化用カートリッジ１５がカートリッジ受け８１１に装着されたときに内筒部８０１の先端と水質浄化用カートリッジ１５の上流側の端部が当接して密閉できるように形成して、カートリッジ装着時には内筒部８０１の外側に原水流路８０２、内筒部８０１の内側にカートリッジ外周流路８０３を形成できるようにする。
この場合に用いられる水質浄化用カートリッジ１５は、第２実施例の場合と同様のものとする。
【０１８０】
そして、頭部１２側では、遮断弁１６，１７の上流に共通の弁内空間８１０を設け、遮断弁１６の下流側には原水吐出側の流路となる弁下流側空間１８を形成するとともに、遮断弁１７の下流側には弁下流側空間１８と隔離された把持部１１側へ接続される流路８０４を形成し、遮断弁１７の下流側の流路８０４とカートリッジ外周流路８０３との間に開口形状が略矩形の開口８０３ａ，２０４ａを設け、この開口８０３ａ，２０４ａの外方が把持部１１側に形成された内筒部８０１のカートリッジ外周流路８０３の頭部側に位置する端部となり、これにより遮断弁下流に位置するカートリッジ上流側の流路が形成される。
【０１８１】
カートリッジ下流側の流路は、把持部１１側に設けられたカートリッジ受け８１１の内面側に形成された浄水流路８０６から、頭部側に設けられた開口２０７を介して弁下流側空間１８に至り、水質浄化用カートリッジ１５により浄化された混合水がシャワー吐出できるように形成する。
【０１８２】
このため、水質浄化用カートリッジ１５を内筒部８０１に挿通し、先端のキャップ１５ｇをカートリッジ受け８１１に内嵌し、キャップ１５ｐの端部が内筒部８０１の先端に当接して位置固定すると、内筒部８０１と水質浄化用カートリッジ１５との間に形成される間隙によって、遮断弁１７の下流側に原水流路としてのカートリッジ外周流路８０３が形成されるから、把持部１１のホース接続部１１ｆから原水が流入すると、内筒部８０１の外周側に形成された原水流路８０２を通過して遮断弁１６，１７の上流に設けられた共通の弁内空間８１０に流入し、そして流路切換弁の遮断弁１７を通過した後の原水流路であるカートリッジ外周流路８０３に流入して、原水がカートリッジ外周流路８０３から水質浄化用カートリッジ１５を通過して中央空間部２２に流出するまでの間に浄化され、浄化された混合水がカートリッジ下流側の専用流路である浄水流路８０６を通過し、弁下流側空間１８を介してシャワー吐出口１２ａから吐出するようになる。
【０１８３】
このような流路切換弁の下流側に水質浄化用カートリッジ１５を配置した浄水機能付きシャワーヘッド８００では、頭部１２に組み込まれた流路切換弁の遮断弁１６，１７における弁座１６ａ，１７ａを配置するとともに流路切換弁前後の流路を仕切るための（第１の）仕切部材２１２と、弁座１６ａを支持するとともに浄水流路８０４と弁下流側空間１８との間を仕切る（第２の）仕切部材８１３と、シャワープレート７１６を螺合して原水側の遮断弁１６の下流側の流路である弁下流側空間１８を形成する中間接続部材７１３とを配設して、流路切換弁下流側における水質浄化用カートリッジ前後の頭部側流路を形成する。
【０１８４】
このうち、把持部１１の筒部１１ａを一体的に組み合わせた頭部１２では、図１２１〜１２３に示すように、頭部１２側から突出している筒部１１ａの内側に、所定の流路幅をあけて同心的に筒部１１ａよりも長い内筒部８０１を形成し、その内筒部８０１の内側にはカートリッジ受け８１１を形成して水質浄化用カートリッジ１５をその頭部側の端部を内嵌して取り付けられるようにするとともに、内筒部８０１の内側から頭部１２の流路切換弁等を収容する内面側に貫通する開口８０３ａを穿設して流路切換弁下流側から水質浄化用カートリッジ上流側への流路を形成し、さらに、カートリッジ受け８１１の内面側には頭部１２の内面側にまで貫通する浄水流路８０６を形成して水質浄化用カートリッジ下流側における浄水専用流路を形成する。
【０１８５】
（第１の）仕切部材２１２は、実施例２と同様に形成して、流路切換弁前後に流路を形成できるようにするとともに、流路切換弁下流側に設ける水質浄化用カートリッジ前後の流路への開口を設けて混合水を流通可能に形成する。
（第２の）仕切部材８１３は、図１２４に示すように、外周端に下方に向けて垂下したリング状端部を有する円盤状に形成された板材８１３ａに、上面側には必要な孔８１３ｂを穿設して原水側の弁座１６ａの下面に合わせた形状に上端部を形成した弁座抑え８１３ｃを突設し、その弁座抑え８１３ｃを原水側の弁座１６ａの下面に嵌め合わせた場合に高さが浄水流路８０４の高さになるように形成し、そして、下面側は特別な突出物を設けず平面に形成する。さらに、リング状端部には浄水の通過を妨げることがないように、開口２０７に対応する位置に切欠部８１３ｄを設ける。
【０１８６】
〔作用効果〕
このような構成により、ホース接続部１１ｆから原水が流入すると、内筒部８０１の外周側に形成された原水流路８０２を通過して遮断弁１６，１７の上流に設けられた共通の弁内空間８１０に流入し、押しボタン１３の位置が浅い押込量の位置か深い押込量の位置かに従い遮断弁１６，１７のいずれか一方が開放状態となり、原水吐出か浄水吐出かに分かれる。
【０１８７】
浄水吐出の場合には、図１１９〜１２３に示すように、押しボタン１３の位置が浅い押込量の位置で、混合水は遮断弁１７の弁座１７ａを通過して下流側の流路８０４から開口２０４ａおよび開口８０３ａを介してカートリッジ外周流路８０３に流入し、水質浄化用カートリッジ１５の水質浄化材１５ａを透過して中央空間部２２に流出し、この中央空間部２２からフィルタ１５ｂと殺菌セラミック１５ｄとフィルタ１５ｃとを透過し、さらにカートリッジ受け８１１内の浄水流路８０６から開口２０７を通過して頭部１２に形成された弁下流側空間１８に流出し、シャワー吐出口１２ａを介してシャワー吐出する。
【０１８８】
また、原水の吐出時には、図１２５〜１２７に示すように、押しボタン１３の位置が深い押込量の位置で、混合水は遮断弁１６の弁座１６ａを通過して弁下流側空間１８に流出し、この弁下流側空間１８からシャワー吐出口１２ａを介して原水のままシャワー吐出する。
【０１８９】
このような第８実施例では、遮断弁１７を経由してから水質浄化用カートリッジ１５に至る流路を有するシャワーヘッドを形成でき、流路切換弁の各遮断弁１６，１７を水質浄化用カートリッジ１５の上流側に設けることができるため、第７実施例と第８実施例とにより、遮断弁１６，１７が水質浄化用カートリッジ１５の上流側と下流側のどちらにでも設けることができるようになる。
これらは共に、頭部１２に設けられた押しボタン１３の操作によって、各遮断弁１６，１７の開閉が交互に切り換えられ、浄化された混合水か原水かのいずれかであっても容易に選択することができる。
【０１９０】
〔第９実施例〕
〔構成〕
第１〜４実施例では流路切換弁の下流側に頭部の外側から操作可能な吐出切換弁を設け、第５〜８実施例では流路切換弁の下流側には吐出切換弁を設けずに原水と浄水の専用の吐出側流路を形成しているが、この第９実施例の浄水機能付きシャワーヘッド９００では、図１２８〜１２９に示すように、流路切換弁は同様に形成されているが、吐出切換弁については回動式操作部を有し、外観上は吐出切換弁が設けられていないかのように突出している部分がない形状に形成して、頭部のシャワー吐出面側の端部を回動することによって吐出状態を切り換えるようにした吐出切換弁９０１を組み込んだ構成にしている点が異なる。
以下の説明では、吐出側の流路の構成に係る部材以外の個々の部材については第１実施例と同じ構成にして頭部１２に設けた押しボタン１３によって浄水と原水とを切り換えるシャワーヘッドを形成するため、第１〜４実施例における部材と同じ構成の部材については同じ番号または数字の下２桁を合わせるように付して説明を省略する。
【０１９１】
頭部１２には、図１３０〜１３４に示すように、上部に押しボタン１３によって動作する流路切換弁の原水側の遮断弁１６と浄水側の遮断弁１７とが配置され、その下部に回動式操作部を有する吐出切換弁９０１が組み込まれ、この吐出切換弁９０１は頭部１２に固着される固定仕切部材９４０と、この固定仕切部材９４０に回動自在に組付けた回動部材９６０とからなり、ストレート吐出とシャワー吐出の他に、強弱吐出、脈動吐出または間欠吐出あるいはマッサージ吐出等を行わせる第３の吐出口を設ける。以下では、第３の吐出口としてマッサージ吐出の場合を説明する。
【０１９２】
頭部１２に組み込まれた流路切換弁の各遮断弁１６，１７の下流側には、流路切換弁を形成する仕切部材９１２との間に任意の空隙を開けて固定仕切部材９４０を配置することにより、原水および浄水のどちらも流入する弁下流側空間１８を形成し、各遮断弁１６，１７から流出する原水および浄水のどちらも、同一の弁下流側空間１８に流入するように形成する。
【０１９３】
吐出切換弁９０１を形成する固定仕切部材９４０は、頭部１２に内蔵し固着して弁下流側空間１８と各吐出口への流路との間を仕切るとともに弁下流側空間１８から特定の吐出口への流路に混合水を流出させる流出口９４１を設け、この固定仕切部材９４０に回動自在に組み付けられる回動部材９６０は、固定仕切部材９４０の流出口９４１から流出する混合水を、シャワー吐出口１２ａ，ストレート吐出口１２ｂ，マッサージ吐出口１２ｎのいずれかに導く流路を内部に形成する。
【０１９４】
固定仕切部材９４０は、円盤状の仕切板９４０ａの中央部に突出貫通した軸部材９４２と、この軸部材９４２を含めた直線上に軸部材９４２に対して互いに反対側に配置して並べた流出口９４１と回動部材位置固定用の突起収容部９４３とを突設し、仕切板９４０ａの外周端に円筒状の頭部嵌合部材９４０ｂを設けた形状に形成する。
また、回動部材９６０は、固定仕切部材９４０の軸部材９４２に回動自在に軸着し、その軸着部の外周側に、中心側から順に、ストレート吐出流路９１０と、マッサージ吐出流路９２０と、シャワー吐出流路９３０とを同心的に配置して全体形状を浅い中空円柱状に形成する。
【０１９５】
ストレート吐出流路９１０は、図１３１に示すように、固定仕切部材９４０の軸部材９４２に回動自在に軸着するとともに回動部材９６０の上面および側面を形成する軸着部材９６２に設けて固定仕切部材９４０の流出口９４１の位置に合わせて開口を形成したストレート吐出用案内流路９６２ａと、軸着部材９６２に内嵌してストレート吐出口側の流路とマッサージ吐出口側の流路とを仕切る中間仕切部材９６４に設けてストレート吐出流路９１０に開口するストレート吐出用案内流路９６４ａと、軸着部材９６２のねじ部に螺着する吐出面形成部材９６８に設けて集合通過部２５を介して吐出口１２ｂへ至る流路とにより形成される。
【０１９６】
マッサージ吐出流路９２０は、図１３５〜１３６に示すように、軸着部材９６２に設けて固定仕切部材９４０の流出口９４１の位置に合わせて開口を形成したマッサージ吐出用案内流路９６２ｂと、中間仕切部材９６４に形成された傾斜流出口９６４ｂと、中間仕切部材９６４の下部に位置した吐出面形成部材９６８に設けて傾斜流出口９６４ｂからマッサージ吐出口１２ｎに至る流路とにより形成される。
このマッサージ吐出流路９２０の傾斜流出口９６４ｂからマッサージ吐出口１２ｎに至る流路の中には、適当な大きさを有するボール（鋼球）９６９を１個内蔵し、傾斜流出口９６４ｂから流出する混合水の動水圧により、流路内を混合水の流出方向へ移動できるようにする。
【０１９７】
シャワー吐出流路９３０は、図１３７に示すように、固定仕切部材９４０の内面と、固定仕切部材９４０の下端部に外嵌するとともに底面にシャワー吐出口１２ａを多数穿設した外周部材９６６の内面と、外周部材９６６の内周面側に嵌合された軸着部材９６２の外周面と、軸着部材９６２に形成されたシャワー吐出用案内流路９６２ｃとによって形成される。
【０１９８】
回動式操作部を有する吐出切換弁を収容する頭部１２は、図１３８〜１４２に示すように、把持部側には把持部１１の筒部１１ａを突出し、その突出した筒部１１ａの内側にカートリッジ受け１１ｅを突出し、吐出側には流路切換弁等を収容する頂部が曲面に形成され主要部が円筒状に形成された頭部外皮１２ｇに、その外皮の円筒中心に対して筒部１１ａの反対側の位置に押しボタン１３が貫通する孔１２ｈを穿設し、流路切換弁の弁箱の上部を形成する隔壁１２ｊの中央部には原水と浄水とを区分する隔壁１２ｋを立設し、この隔壁１２ｋとともに隔壁１２ｊ，１２ｋから原水側の流路２３と浄水側の流路２４との開口位置まで仕切ることにより頭部外皮１２ｇの各流路開口位置から弁内空間まで原水流路５６ａと浄水流路５７ａを延設する案内隔壁１２ｍを設け、隔壁１２ｊと隔壁１２ｋとにより形成された原水側の弁内空間５６と浄水側の弁内空間５７には頂部曲面の裏側に弁体支持部材１６ｃ，１７ｃの上面を当接して移動時の案内部材として機能する複数本のリブ１２ｌ，…，１２ｌを突設する。
【０１９９】
仕切部材９１２は、図１４３〜１４４に示すように、頭部１２の吐出側と切換弁組込側との境界を規定する形状を有する仕切り９５５を形成し、この仕切り９５５の上面側に弁箱形成隔壁９１２ａを立設して各流路切換弁の入口側流路と接続する原水側の弁内空間９５６、浄水側の弁内空間９５７を形成し、仕切り９５５の下側には端縁に頭部嵌合用円筒部としての端縁隔壁９１２ｂを垂下して弁下流側空間１８を形成する。また、仕切り９５５の各弁内空間９５６，９５７を形成する位置には略中央部に弁座１６ａ，１７ａを形成する部材を嵌合する嵌合孔５８，５９を穿設する。この嵌合孔５８と嵌合孔５９とは、弁座１６ａと弁座１７ａとが押しボタン１３の押込み量によっていずれか一方の弁が閉じられるように、押し込み方向にずらして穿設する。
【０２００】
固定仕切部材９４０は、図１４５に示すように、仕切り９４０ａの端縁に頭部１２への嵌合用の円筒部９４０ｂを垂下し、円筒部９４０ｂの下端部にＯリング溝９４０ｃを周設し、仕切り９４０ａには中央部に貫通した円柱状の突出部９４２を突出し、その突出部の下流側の端面に軸方向に深く孔９４２ａを穿設し、仕切り９４０ａの上流側の面には突出部９４２の突出位置から径方向外側に流出口９４１を設け、さらに突出部９４２と流出口９４１を含む直線上にあって突出部９４２に対し流出口９４１とは反対側で径方向外側に寄った位置に位置止め部材収容部９４３を突出し、その位置止め部材収容部９４３に下面側から孔９４３ａを穿設する。
【０２０１】
そして、この固定仕切部材９４０は、突出部９４２の開口側を下方またはシャワー吐出側に向けて、頭部１２内の所定位置に固着し、突出部９４２の孔９４２ａに木ねじ等のねじ部品をねじ込むことにより、回動部材９６０の軸着部材９６２を固定仕切部材９４０に軸支して、回動部材９６０を頭部１２のシャワー吐出面側の中心位置を回動中心として自在に回動できるようにする。
また、流出口９４１には図１３１，１３５，１３７に示すように、ばね９４０ｃに付勢された開口当接部材９４０ｄを内蔵して流出口９４１と軸着部材９６２側の各開口との間の間隙を開けないようにする。
さらに、位置止め部材収容部９４３には、ばね９４０ｅに付勢された位置止め部材９４０ｆを収容して、回動部材９６０の回動時における軸着部材９６２側の各凹部９６２ｏ，９６２ｐ，９６２ｑ（図１４６参照）への位置止め部材９４０ｆの落ち込みによるクリック感を与えて、位置決めを容易にする。
【０２０２】
軸着部材９６２は、図１４６に示すように、上面側には固定仕切部材９４０の仕切り下面側に対面する平円板９６２ｄを形成し、この平円板９６２ｄの外周端には下面側に向けて略円筒状の側周壁９６２ｅを垂下し、その側周壁９６２ｅの下端部には中間仕切部材９６４と吐出面形成部材９６８を内嵌できる径に拡径して内周面に吐出面形成部材９６８を螺合できる雌ねじ９６２ｆを形成する。
【０２０３】
平円板９６２ｄの中央部には、固定仕切部材９４０の突出部９４２に外嵌して突出部９４２を軸として回動できるようにする孔９６２ｇを穿設するとともにその孔９６２ｇを軸方向に延設する嵌合円筒９６２ｈを下面側に突設する。この嵌合円筒９６２ｈの外周側に、中間仕切部材９６４の上面側に設けた嵌合用の環状溝９６４ｄ（図１４７参照）に嵌め込む円筒形に形成した流路仕切り部９６２ｉを突設する。
【０２０４】
平円板９６２ｄの孔９６２ｇを穿設した位置の外周側には、同一円周上に９０度の間隔をあけて開口９６２ｌ，９６２ｍ，９６２ｎを穿設し、この開口が穿設されている円周のさらに外周側に同一円周上に９０度の間隔をあけて凹部９６２ｏ，９６２ｐ，９６２ｑを刻設し、１８０度の間隔があく２つの開口９６２ｌ，９６２ｎと１８０度の間隔があく２つの凹部９６２ｏ，９６２ｑを同一直線上に配設し、２つの開口９６２ｌ，９６２ｎに対して９０度間隔があいた開口９６２ｍと、２つの凹部９６２ｏ，９６２ｑに対して９０度間隔があいた凹部９６２ｐとは、互いに１８０度開いた位置すなわち開口９６２ｌ，９６２ｎと凹部９６２ｏ，９６２ｑが配設されている直線に対して互いに反対側の位置になるように配置する。
【０２０５】
平円板９６２ｄの下面側にはストレート吐出用案内流路９６２ａ，シャワー吐出用案内流路９６２ｃ，マッサージ吐出用案内流路９６２ｂを形成する隔壁９６２ｕ，９６２ｖ，９６２ｗを設けてそれぞれ平円板９６２ｄ側の端部が開口９６２ｌ，９６２ｍ，９６２ｎにより上面側と連通するように形成する。
【０２０６】
中間仕切部材９６４は、図１４７に示すように、円盤状の部材９６４ｃの一面側には２重リングにより形成された嵌合溝９６４ｄに軸着部材９６２の流路仕切り部９６２ｉが嵌入できるような幅を設けた嵌合部９６４ｅを同心的に突設し、他面側には集合通過部２５を内嵌してストレート吐出側への流路を形成する嵌合孔９６４ｆを同心的に設けた吐出流路接続部９６４ｇを突設し、その吐出流路接続部９６４ｇの外周側に同一円周上等ピッチに一定方向に向いた傾斜流出口９６４ｂを突設する。
さらに、吐出流路接続部９６４ｇには先端（下端）に同一間隔で多数個の矩形溝９６４ｈを刻設する。
【０２０７】
外周部材９６６は、図１４８に示すように、シャワー吐出口１２ａを周上等ピッチに多数穿設した吐出面形成部９６６ａの外周端と内周端に、固定仕切部材９４０に設けた頭部嵌合部材９４０ｂの下端部に外嵌する外周側の側周壁９６６ｂと、軸着部材９６２の側周壁９６２ｅの下端部に外嵌する内周側の側周壁９６６ｃとをそれぞれ立設した断面形状が略Ｌ字状または略Ｊ字状の環状部材に形成する。
外周側の側周壁９６６ｂと内周側の側周壁９６６ｃの高さは、それぞれ外嵌する相手部材の嵌合位置に於ける高さに応じて規定する。
【０２０８】
吐出面形成部材９６８は、図１４９に示すように、円盤状に形成した吐出面９６８ａの中央部にストレート吐出口１２ｂを形成し、その外周側に複数の通気口９６８ｂを同一円周上で周上等ピッチに穿設し、さらにその通気口穿設位置の外周側に多数個のマッサージ吐出口１２ｎを同一円周上で周上等ピッチに穿設する。
【０２０９】
吐出面９６８ａの上面側には、ストレート吐出口１２ｂの外周側に位置して筒状に突設したストレート吐出流路仕切壁９６８ｃと、このストレート吐出流路仕切壁９６８ｃに間隙をあけて筒状に突設した通気路仕切壁９６８ｄと、マッサージ吐出口１２ｎの穿設位置の外周側に位置して筒状に突設したマッサージ吐出流路仕切壁９６８ｅとを立設する。
【０２１０】
ストレート吐出流路仕切壁９６８ｃと通気路仕切壁９６８ｄとの間には必要数のリブ９６８ｆを介在させてストレート吐出流路仕切壁９６８ｃを支持する。ストレート吐出流路仕切壁９６８ｃの上端は中間仕切部材９６４の吐出流路接続部９６４ｇの下端と当接して矩形溝９６４ｈの位置がストレート吐出流路仕切壁９６８ｃの内外における通気口として形成されるようにする。
マッサージ吐出流路仕切壁９６８ｅの外周には雄ねじ９６８ｇを形成して軸着部材９６２の雌ねじ９６２ｆに螺合できるようにする。
【０２１１】
集合通過部２５は、外面が円柱状で、中央部の下流側に穿設して上流側に貫通しないねじ穴（またはねじをねじ込んで止められるように小さめに穿設された穴）と、ねじ穴の外周側に上流側から混合水が流入できるようにしたリング状の溝と、そのリング状の溝に合わせて中心に対して軸対称となる位置にそれぞれ１つずつ合計２つの扇形に穿設した貫通孔とを具備するように形成する。
【０２１２】
〔作用効果〕
このような回動式操作部を有する吐出切換弁９０１では、各吐出口１２ａ，１２ｂ，１２ｎを形成するとともに混合水を各吐出口１２ａ，１２ｂ，１２ｎに導入する各案内流路９６２ａ，９６２ｂ，９６２ｃおよび吐出流路９１０，９２０，９３０を回動位置によって選択できるように形成したことによって、ストレート吐出を選択した場合には、図１５０に示すように、固定仕切部材９４０に設けられた流出口９４１が、突出部９４２を中心にして位置止め部材収容部９４３と横方向の直線上に設けられているとき、軸着部材９６２でもストレート吐出口１２ｂへ連通する開口９６２ｌが孔９６２ｇを中心にしてマッサージ吐出口へ連通する開口９６２ｎと凹部９６２ｑとが横方向の直線上に位置し、この配置関係で固定仕切部材９４０の真下に軸着部材９６２が位置するため、位置止め部材９４０ｆが凹部９６２ｑに入って位置を確定すると、混合水が流出口９４１から開口９６２ｌを介してストレート吐出用案内流路９６２ａに流出し、ストレート吐出流路９１０を介してストレート吐出口１２ｂより吐出する。
【０２１３】
次に、外周部材９６６の外周面を手で持ち、回動して、マッサージ吐出を選択した場合には、図１５１に示すように、固定仕切部材９４０に設けられた流出口９４１と、突出部９４２と、位置止め部材収容部９４３とが横方向の直線上に設けられているとき、軸着部材９６２ではマッサージ吐出口１２ｎへ連通する開口９６２ｎが孔９６２ｇを中心にしてストレート吐出口１２ｂへ連通する開口９６２ｌと凹部９６２ｏとが横方向の直線上に位置し、この配置関係で固定仕切部材９４０の真下に軸着部材９６２が位置するため、位置止め部材９４０ｆが凹部９６２ｏに入って位置を確定すると、混合水は流出口９４１から開口９６２ｎを介してマッサージ吐出用案内流路９６２ｂに流出し、マッサージ吐出流路９２０を介してマッサージ吐出口１２ｎより吐出する。このとき、マッサージ吐出流路９２０への流入口となっている傾斜流出口９６４ｂから流出する混合水の動水圧により、マッサージ吐出流路９２０に収容したボール９６９を流路に沿って移動させ、ボール９６９が通過するときに塞ぐマッサージ吐出口１２ｎからの流出が途切れることにより、間欠的に混合水が吐出されてマッサージ効果を発揮する。
【０２１４】
また、外周部材９６６の外周面を手で持ち、回動して、シャワー吐出を選択した場合には、図１５２に示すように、固定仕切部材９４０に設けられた流出口９４１と、突出部９４２と、位置止め部材収容部９４３とが横方向の直線上に設けられているとき、軸着部材９６２ではシャワー吐出口１２ａへ連通する開口９６２ｍが孔９６２ｇを中心にして凹部９６２ｐと横方向の直線上に位置し、この配置関係で軸着部材９６２が固定仕切部材９４０の真下に位置するため、位置止め部材９４０ｆが凹部９６２ｐに入って位置を確定すると、混合水が流出口９４１から開口９６２ｍを介してシャワー吐出用案内流路９６２ｃに流出し、さらにシャワー吐出流路９３０を介してシャワー吐出口１２ａより吐出する。
【０２１５】
このようにして、手動により外周部材９６６を一体に形成した回動部材９６０を回動操作することにより、ストレート吐出、マッサージ吐出、シャワー吐出を容易に切り換え、３種の吐出形態を任意に使用することができるようになる。
【０２１６】
〔第１０実施例〕
〔構成〕
第９実施例では水質浄化用カートリッジの下流側に流路切換弁と回動式操作部を有する吐出切換弁とを組み込んでいるが、この第１０実施例の浄水機能付きシャワーヘッド１０００では、図１５３〜１５５に示すように、流路切換弁と回動操作部を有する吐出切換弁１１００との間に水質浄化用カートリッジを組み込んだ構成にしている点が異なる。
以下の説明では、流路切換弁から吐出切換弁までの混合水の流路の構成に係る部材以外の個々の部材については第９実施例と同じ構成にして頭部１２に設けた押しボタン１３によって浄水と原水とを切り換えるシャワーヘッドを形成するため、第９実施例における部材と同じ構成の部材については同じ番号または数字の下２桁を合わせるように付して説明を省略する。
【０２１７】
図１５３〜１５８に示すように、頭部１２には、上部に押しボタン１３によって動作する流路切換弁の原水側の遮断弁１６と浄水側の遮断弁１７とが配置され、その下流側及び側部に水質浄化用カートリッジ１５側への迂回路を形成し、その下流側に、頭部１２に固着される固定仕切部材１０４０と、この固定仕切部材１０４０に回動自在に組付けた回動部材１０６０とからなる回動式操作部とを有する吐出切換弁１１００が組み込まれる。
【０２１８】
頭部１２側から把持部１１側に突出している筒部１１ａの内側に、所定の流路幅をあけて同心的に筒部１１ａよりも長い内筒部１００１を形成し、そして、内筒部１００１の内側には、カートリッジ受け１０１１を先端部に形成した突出部を設け、水質浄化用カートリッジ１５を、その頭部側に位置する端部から内筒部１００１に挿入して内嵌することにより取り付けられるようにする。
【０２１９】
内筒部１００１の長さは、カートリッジ受け１０１１に取り付けられた水質浄化用カートリッジ１５の上流側の端部に達するまでの長さを有し、水質浄化用カートリッジ１５がカートリッジ受け１０１１に装着されたときに内筒部１００１の先端と水質浄化用カートリッジ１５の上流側の端部が当接して密閉できるように形成して、カートリッジ装着時には内筒部１００１の外側に原水流路１００２、内筒部１００１の内側にカートリッジ外周流路１００３を形成できるようにする。
この場合に用いられる水質浄化用カートリッジ１５は、第２実施例の場合と同様のものとする。
【０２２０】
そして、頭部１２の遮断弁１６，１７の上流側に共通の弁内空間１０７０を設け、遮断弁１６の下流側には原水吐出側の流路となる弁下流側空間１８を形成するとともに、遮断弁１７の下流側には弁下流側空間１８と隔離されるとともに把持部１１側へ接続される流路１００４を形成し、この流路１００４に隣接して（第１の）仕切部材１０１２の弁箱１０１２ａにより仕切られた弁内空間１０７０の外側に弁箱外流路１０１２ｉを設け、遮断弁１７の下流側のカートリッジ外周流路１００３との連通用に開口形状が略矩形の開口１０１２ｆを設け、この開口１０１２ｆの外方が把持部１１側に形成された内筒部１００１のカートリッジ外周流路１００３の頭部側に位置する端部となり、これにより遮断弁下流に位置する頭部１２内におけるカートリッジ上流側の流路が形成される。
【０２２１】
カートリッジ下流側の流路は、把持部１１側に設けられたカートリッジ受け１０１１の内面側に形成された浄水流路１００６から、頭部１２側に設けられた開口１０１２ｇを介して弁下流側空間１８に至り、水質浄化用カートリッジ１５を通過して浄化された混合水が頭部１２に組み込まれた吐出切換弁１１００に流入できるように形成される。
【０２２２】
このため、水質浄化用カートリッジ１５を内筒部１００１に挿通し、先端のキャップ１５ｇをカートリッジ受け１０１１に内嵌し、キャップ１５ｐの端部が内筒部１００１の先端に当接して位置固定すると、内筒部１００１と水質浄化用カートリッジ１５との間に形成される間隙によって、遮断弁１７の下流側に原水流路としてのカートリッジ外周流路１００３が形成されるから、把持部１１のホース接続部１１ｆから原水が流入すると、内筒部１００１の外周側に形成された原水流路１００２を通過して遮断弁１６，１７の上流に設けられた共通の弁内空間１０７０に流入し、そして流路切換弁の遮断弁１７を通過した後の原水流路であるカートリッジ外周流路１００３に流入して、原水がカートリッジ外周流路１００３から水質浄化用カートリッジ１５を通過して中央空間部２２に流出するまでの間に浄化され、浄化された混合水がカートリッジ下流側の専用流路である浄水流路１００６を通過し、弁下流側空間１８に流入する。この後の流路は、吐出切換弁１１００の下端部に形成された外周部材１０６６を操作することにより選択されるストレート吐出（図１５６参照）、マッサージ吐出（図１５７参照）、シャワー吐出（図１５８参照）のいずれかに従って定められた流路を経由して吐出する。
【０２２３】
このような流路切換弁の下流側に水質浄化用カートリッジ１５を配置した浄水機能付きシャワーヘッド１０００では、頭部１２に組み込まれた流路切換弁の遮断弁１６，１７における弁座１６ａ，１７ａを配置するとともに流路切換弁前後の流路を仕切るための（第１の）仕切部材１０１２と、弁座１６ａを支持するとともに流路１００４と弁下流側空間１８との間を仕切る（第２の）仕切部材１０１３と、吐出切換弁１１００の回動部材１０６０を取り付けて遮断弁１６の下流側の流路である弁下流側空間１８を形成する固定仕切部材１０４０とを配設して、流路切換弁下流側における水質浄化用カートリッジ前後の頭部側流路を形成する。
【０２２４】
このうち、把持部１１の筒部１１ａを一体的に組み合わせた頭部１２では、図１５９〜１６０に示すように、把持部側には把持部１１の筒部１１ａを突出し、その突出した筒部１１ａの内側にカートリッジ受け１０１１を突出し、吐出側には流路切換弁等を収容する頂部が曲面に形成され主要部が円筒状に形成された頭部外皮１２ｇに、その外皮の円筒中心に対して筒部１１ａの反対側の位置に押しボタン１３が貫通する孔１２ｈを穿設し、流路切換弁の弁箱の上部を形成する隔壁１２ｊの把持部側には原水を弁内空間１０７０の上部に導入する流路１０７０ａを形成する隔壁１２ｍを設け、この隔壁１２ｍによって隔壁１２ｊから原水側の流路１００２の開口位置まで仕切ることにより頭部外皮１２ｇの原水流路開口位置から弁内空間１０７０までの流路１０７０ａが形成され、また隔壁１２ｊにより形成された弁内空間１０７０には頂部曲面の裏側に弁体支持部材１６ｃ，１７ｃの上面を当接して移動時の案内部材として機能する複数本のリブ１２ｌ，…，１２ｌを突設する。
【０２２５】
そして、頭部１２側から突出している筒部１１ａの内側に、所定の流路幅をあけて同心的に筒部１１ａよりも長い内筒部１００１を形成し、その内筒部１００１の内側にはカートリッジ受け１０１１を形成して水質浄化用カートリッジ１５をその頭部側の端部を内嵌して取り付けられるようにするとともに、内筒部１００１の内側から頭部１２の流路切換弁等を収容する側に貫通する開口１００３ａを穿設して流路切換弁下流側から水質浄化用カートリッジ上流側への流路を形成し、さらに、カートリッジ受け１０１１の内面側には頭部１２の流路切換弁等を収容する側にまで貫通する浄水流路１００６を形成して水質浄化用カートリッジ下流側における浄水専用流路を形成する。
【０２２６】
（第１の）仕切部材１０１２は、図１６１〜１６２に示すように、頭部１２の吐出側と流路切換弁組込側との境界を規定する形状を有する仕切り１０５５を形成し、この仕切り１０５５の上面側に弁箱形成隔壁１０１２ａを立設して流路切換弁の入口側流路と接続する弁内空間１０７０を形成し、弁内空間１０７０内に位置する仕切り１０５５は弁外にあたる位置の仕切り１０５５よりも高く形成して浄水側の遮断弁１７の下流側における混合水の流れる空間としての流路１００４を形成し、弁外にあたる位置の仕切り１０５５の下側には端縁に頭部嵌合用円筒部としての端縁隔壁１０１２ｂを垂下して弁下流側空間１８を形成する。
【０２２７】
また、仕切り１０５５の弁内空間１０７０を形成する位置には、押しボタン１３の押込み中心線から略等しい間隔に離した位置であって押し込み方向にずらした位置に各弁座１６ａ，１７ａを形成する部材を嵌合する嵌合孔５８，５９を穿設する。この嵌合孔５８と嵌合孔５９との押し込み方向への位置ずれは、押しボタン１３の押込みによって、弁座１６ａと弁座１７ａとのいずれか一方の弁が閉じるために必要な位置ずれ量を与えるものとする。
【０２２８】
さらに、弁内空間１０７０の内側に位置する仕切り１０５５の下面側に設けた流路１００４から、開口１００３ａを介してカートリッジ外周流路１００３へ連通する流路１０１２ｉを形成する隔壁１０１２ｄを、弁外にあたる位置の仕切り１０５５が上面側に盛り上げられた形状に形成して、浄水側の遮断弁１７から流出する混合水を把持部１１側へ誘導する流路１０１２ｉとなるように設ける。そして、端縁隔壁１０１２ｂを開通し、流路１０１２ｉと把持部側のカートリッジ上流側の流路１００３との間を連通させる開口１０１２ｆを開設する。
【０２２９】
（第２の）仕切部材１０１３は、図１６３に示すように、外周端に下方へ向けて垂下したリング状端部１０１３ｄを有する円盤状に形成された板材１０１３ａに、上面側には必要な孔１０１３ｂを穿設するとともに上端部を原水側の弁座１６ａの下面に合わせた形状に形成した弁座抑え１０１３ｃを突設し、その弁座抑え１０１３ｃを原水側の弁座１６ａの下面に嵌め合わせた場合に高さが浄水流路１００４を確保できる高さになるように形成し、そして、下面側は特別な突出物を設けず平面に形成する。
【０２３０】
〔作用効果〕
このような構成により、ホース接続部１１ｆから原水が流入すると、内筒部１００１の外周側に形成された原水流路１００２を通過して遮断弁１６，１７の上流に設けられた共通の弁内空間１０７０に流入し、押しボタン１３の位置が浅い押込量の位置か深い押込量の位置かに従い遮断弁１６，１７のいずれか一方が開放状態となり、原水吐出か浄水吐出かに分かれる。
【０２３１】
浄水吐出の場合には、図１５３〜１５５に示すように、押しボタン１３の位置が浅い押込量の位置で、混合水は遮断弁１７の弁座１７ａを通過して下流側の流路１００４から流路１０１２ｉ、開口１０１２ｆおよび開口１００３ａを介してカートリッジ外周流路１００３に流入し、水質浄化用カートリッジ１５の水質浄化材１５ａを透過して中央空間部２２に流出し、この中央空間部２２からフィルタ１５ｂと殺菌セラミック１５ｄとフィルタ１５ｃとを透過し、さらにカートリッジ受け１０１１内の浄水流路１００６から開口１０１２ｇを通過して頭部１２に形成された弁下流側空間１８に流出し、回動操作部を有する吐出切換弁１１００の設定に従って吐出する。
【０２３２】
また、原水の吐出時には、押しボタン１３の位置が深い押込量の位置で、混合水は遮断弁１６の弁座１６ａを通過して弁下流側空間１８に流出し、この弁下流側空間１８から回動操作部を有する吐出切換弁１１００の設定に従って吐出する。
【０２３３】
このような第１０実施例では、遮断弁１７を経由してから水質浄化用カートリッジ１５に至る流路を有するシャワーヘッドを形成でき、流路切換弁の各遮断弁１６，１７を水質浄化用カートリッジ１５の上流側に設けることができるようになるため、回動操作部を有する吐出切換弁１１００を組み込んだ場合であっても、第９実施例と第１０実施例とにより、流路切換弁が水質浄化用カートリッジ１５の上流側と下流側のどちらにでも設けることができるようになる。
これらは共に、頭部１２に設けられた押しボタン１３の操作によって、各遮断弁１６，１７の開閉が交互に切り換えられ、浄化された混合水か原水かのいずれかであっても容易に選択することができる。
【符号の説明】
【０２３４】
１  流し台
２  混合水栓
３  ホース
１０，２００，３００，４００，５００，６００，７００，８００，９００，１０００
浄水機能付きシャワーヘッド
１１  把持部
１１ａ，１１ｂ  筒部
１１ｃ  中継用ねじ部
１１ｄ  ホース取付ねじ
１１ｅ，２１１，４１１，６１１，８１１，１０１１  カートリッジ受け
１１ｆ  ホース接続部
１２  頭部
１２ａ  シャワー吐出口
１２ｂ  ストレート吐出口
１２ｃ，３１２，５１２  （第１の）仕切部材
１２ｄ，３１３，５１３，  （第２の）仕切部材
１２ｅ，２１６，３１６，４１６  シャワープレート
１２ｆ  シャワープレート抑え
１２ｎ  マッサージ吐出口
１３  押しボタン
１３ａ  切換軸
１３ｂ  切換リング
１３ｃ  第１切換こま
１３ｄ  第２切換こま
１４  切換レバー
１５  水質浄化用カートリッジ
１５ａ  水質浄化材
１５ｂ，１５ｃ  フィルタ
１５ｄ  殺菌セラミック
１５ｅ，１５ｆ，１５ｇ  キャップ
１５ｈ  Ｏリング
１６  （原水側の）遮断弁
１６ａ，１７ａ  弁座
１６ｂ，１７ｂ  弁体
１６ｃ，１７ｃ  弁体支持部材
１６ｄ，１７ｄ  コイルスプリング
１７  （浄水側の）遮断弁
１８  弁下流側空間
１８ａ，２１４，３１４，４１４，５１４，６１４  シャワー側空間
１９，１１９，２１９，３１９，４１９  浄水吐出口
２０，３２０，５２０  （浄水側）弁下流側流路
２１  外周側流路
２２  中央空間部
２３  （カートリッジ受けの外周側の）流路
２４  （カートリッジ受けの内面側の）流路
２５  集合通過部
２６  吐出切換弁
２６ａ  （吐出切換弁の）弁体
２６ｂ  軸部
３１  プッシュロッド
５３  コイルスプリング
５５，２１２ａ  仕切り
５６，５７，５５６，５５７，７５６，７５７，９５６，９５７  弁内空間
５８，５９，６１，６７  嵌合孔
６０，２１３ｃ  弁座抑え
６１，２１２ｄ，２１２ｅ，２１６ｃ  嵌合孔
６２，３１９ａ，５１９  浄水流路
６４，６４ｂ，２１５ｂ，４１５ｂ  環状部材
６４ａ  雄ねじ
６５，５６５  浄水導管
６６，２１６ａ  軸孔
６９  雌ねじ
２０１，４０１，６０１，８０１，１００１  内筒部
２０２，４０２，６０２，８０２，１００２  原水流路
２０３，４０３，６０３，８０３，１００３  カートリッジ外周流路
２０４，４０４，６０４，８０４，１００４  流路
２０３ａ，２０４ａ，２０７，２０８ａ，４０３ａ，４０４ａ，６０３ａ，６０４ａ，６０７，８０３ａ，１００３ａ，１０１２ｆ，１０１２ｇ  開口
２０６，２０８，６０６，６０８，８０６，１００６  浄水流路
２１０，４１０，６１０，８１０，１０７０  弁内空間
２１２，４１２，６１２，１０１２  （第１の）仕切部材
２１３，４１３，６１３，８１３，１０１３  （第２の）仕切部材
２１５，４１５  （第３の）仕切部材
５１６，７１６  シャワープレート
５６２  導水管
７１３  中間接続部材
９０１  吐出切換弁
９１０，１０１０  ストレート吐出流路
９２０，１０２０  マッサージ吐出流路
９３０，１０３０  シャワー吐出流路
９４０，１０４０  固定仕切部材
９４１，１０４１  流出口
９６０，１０６０  回動部材
９６２，１０６２  軸着部材
９６２ｂ，１０６２ｂ  マッサージ吐出用案内流路
９６４，１０６４  中間仕切部材
９６６，１０６６  外周部材
９６８，１０６８  吐出面形成部材
９６９，１０６９  ボール
１０１２ｉ  流路
１１００  吐出切換弁
【図１】
2011174374.tif 000003
【図２】
2011174374.tif 000004
【図３】
2011174374.tif 000005
【図４】
2011174374.tif 000006
【図５】
2011174374.tif 000007
【図６】
2011174374.tif 000008
【図７】
2011174374.tif 000009
【図８】
2011174374.tif 000010
【図９】
2011174374.tif 000011
【図１０】
2011174374.tif 000012
【図１１】
2011174374.tif 000013
【図１２】
2011174374.tif 000014
【図１３】
2011174374.tif 000015
【図１４】
2011174374.tif 000016
【図１５】
2011174374.tif 000017
【図１６】
2011174374.tif 000018
【図１７】
2011174374.tif 000019
【図１８】
2011174374.tif 000020
【図１９】
2011174374.tif 000021
【図２０】
2011174374.tif 000022
【図２１】
2011174374.tif 000023
【図２２】
2011174374.tif 000024
【図２３】
2011174374.tif 000025
【図２４】
2011174374.tif 000026
【図２５】
2011174374.tif 000027
【図２６】
2011174374.tif 000028
【図２７】
2011174374.tif 000029
【図２８】
2011174374.tif 000030
【図２９】
2011174374.tif 000031
【図３０】
2011174374.tif 000032
【図３１】
2011174374.tif 000033
【図３２】
2011174374.tif 000034
【図３３】
2011174374.tif 000035
【図３４】
2011174374.tif 000036
【図３５】
2011174374.tif 000037
【図３６】
2011174374.tif 000038
【図３７】
2011174374.tif 000039
【図３８】
2011174374.tif 000040
【図３９】
2011174374.tif 000041
【図４０】
2011174374.tif 000042
【図４１】
2011174374.tif 000043
【図４２】
2011174374.tif 000044
【図４３】
2011174374.tif 000045
【図４４】
2011174374.tif 000046
【図４５】
2011174374.tif 000047
【図４６】
2011174374.tif 000048
【図４７】
2011174374.tif 000049
【図４８】
2011174374.tif 000050
【図４９】
2011174374.tif 000051
【図５０】
2011174374.tif 000052
【図５１】
2011174374.tif 000053
【図５２】
2011174374.tif 000054
【図５３】
2011174374.tif 000055
【図５４】
2011174374.tif 000056
【図５５】
2011174374.tif 000057
【図５６】
2011174374.tif 000058
【図５７】
2011174374.tif 000059
【図５８】
2011174374.tif 000060
【図５９】
2011174374.tif 000061
【図６０】
2011174374.tif 000062
【図６１】
2011174374.tif 000063
【図６２】
2011174374.tif 000064
【図６３】
2011174374.tif 000065
【図６４】
2011174374.tif 000066
【図６５】
2011174374.tif 000067
【図６６】
2011174374.tif 000068
【図６７】
2011174374.tif 000069
【図６８】
2011174374.tif 000070
【図６９】
2011174374.tif 000071
【図７０】
2011174374.tif 000072
【図７１】
2011174374.tif 000073
【図７２】
2011174374.tif 000074
【図７３】
2011174374.tif 000075
【図７４】
2011174374.tif 000076
【図７５】
2011174374.tif 000077
【図７６】
2011174374.tif 000078
【図７７】
2011174374.tif 000079
【図７８】
2011174374.tif 000080
【図７９】
2011174374.tif 000081
【図８０】
2011174374.tif 000082
【図８１】
2011174374.tif 000083
【図８２】
2011174374.tif 000084
【図８３】
2011174374.tif 000085
【図８４】
2011174374.tif 000086
【図８５】
2011174374.tif 000087
【図８６】
2011174374.tif 000088
【図８７】
2011174374.tif 000089
【図８８】
2011174374.tif 000090
【図８９】
2011174374.tif 000091
【図９０】
2011174374.tif 000092
【図９１】
2011174374.tif 000093
【図９２】
2011174374.tif 000094
【図９３】
2011174374.tif 000095
【図９４】
2011174374.tif 000096
【図９５】
2011174374.tif 000097
【図９６】
2011174374.tif 000098
【図９７】
2011174374.tif 000099
【図９８】
2011174374.tif 000100
【図９９】
2011174374.tif 000101
【図１００】
2011174374.tif 000102
【図１０１】
2011174374.tif 000103
【図１０２】
2011174374.tif 000104
【図１０３】
2011174374.tif 000105
【図１０４】
2011174374.tif 000106
【図１０５】
2011174374.tif 000107
【図１０６】
2011174374.tif 000108
【図１０７】
2011174374.tif 000109
【図１０８】
2011174374.tif 000110
【図１０９】
2011174374.tif 000111
【図１１０】
2011174374.tif 000112
【図１１１】
2011174374.tif 000113
【図１１２】
2011174374.tif 000114
【図１１３】
2011174374.tif 000115
【図１１４】
2011174374.tif 000116
【図１１５】
2011174374.tif 000117
【図１１６】
2011174374.tif 000118
【図１１７】
2011174374.tif 000119
【図１１８】
2011174374.tif 000120
【図１１９】
2011174374.tif 000121
【図１２０】
2011174374.tif 000122
【図１２１】
2011174374.tif 000123
【図１２２】
2011174374.tif 000124
【図１２３】
2011174374.tif 000125
【図１２４】
2011174374.tif 000126
【図１２５】
2011174374.tif 000127
【図１２６】
2011174374.tif 000128
【図１２７】
2011174374.tif 000129
【図１２８】
2011174374.tif 000130
【図１２９】
2011174374.tif 000131
【図１３０】
2011174374.tif 000132
【図１３１】
2011174374.tif 000133
【図１３２】
2011174374.tif 000134
【図１３３】
2011174374.tif 000135
【図１３４】
2011174374.tif 000136
【図１３５】
2011174374.tif 000137
【図１３６】
2011174374.tif 000138
【図１３７】
2011174374.tif 000139
【図１３８】
2011174374.tif 000140
【図１３９】
2011174374.tif 000141
【図１４０】
2011174374.tif 000142
【図１４１】
2011174374.tif 000143
【図１４２】
2011174374.tif 000144
【図１４３】
2011174374.tif 000145
【図１４４】
2011174374.tif 000146
【図１４５】
2011174374.tif 000147
【図１４６】
2011174374.tif 000148
【図１４７】
2011174374.tif 000149
【図１４８】
2011174374.tif 000150
【図１４９】
2011174374.tif 000151
【図１５０】
2011174374.tif 000152
【図１５１】
2011174374.tif 000153
【図１５２】
2011174374.tif 000154
【図１５３】
2011174374.tif 000155
【図１５４】
2011174374.tif 000156
【図１５５】
2011174374.tif 000157
【図１５６】
2011174374.tif 000158
【図１５７】
2011174374.tif 000159
【図１５８】
2011174374.tif 000160
【図１５９】
2011174374.tif 000161
【図１６０】
2011174374.tif 000162
【図１６１】
2011174374.tif 000163
【図１６２】
2011174374.tif 000164
【図１６３】
2011174374.tif 000165